(57)【特許請求の範囲】
【請求項１】
支承体を介して相対する第一剛性体と第二剛性体との間に架設され、該第一剛性体及び／又は該第二剛性体への入力を判別する入力判別機構を備え、
前記入力判別機構は、一端部が前記第一剛性体に係止され、他端部が前記第二剛性体に係止された一個の可撓性線状部材を有し、
前記可撓性線状部材は、前記一端部と前記他端部との間の中途部に、係合力及び／又は摩擦力をもって該可撓性線状部材を撓んだ状態で保持する保持部によって、撓み部が形成されており、前記第一剛性体及び／又は前記第二剛性体へ入力があった場合、該撓み部の可撓性線状部材が該保持部から引き出されることを特徴とする入力判別装置。
【請求項２】
前記保持部は、結び目であることを特徴とする請求項１記載の入力判別装置。
【請求項３】
前記保持部は、コキであることを特徴とする請求項１記載の入力判別装置。
【請求項４】
前記撓み部は、前記可撓性線状部材の一端部と他端部との間に複数個形成されていることを特徴とする請求項１乃至３のうち何れか記載の入力判別装置。
【請求項５】
前記保持部は、前記撓み部が収納された収納部材に形成されていることを特徴とする請求項１記載の入力判別装置。
【請求項６】
前記第一剛性体と前記第二剛性体との間には、複数の前記入力判別機構が架設されていることを特徴とする請求項１乃至５のうち何れか記載の入力判別装置。
【請求項７】
当該入力判別装置は、固定型支承装置に設けられることを特徴とする請求項１乃至６のうち何れか記載の入力判別装置。
【請求項８】
当該入力判別装置は、可動型支承装置に設けられることを特徴とする請求項１乃至６のうち何れか記載の入力判別装置。
【請求項９】
当該入力判別装置は、水平力分散支承装置に設けられることを特徴とする請求項１乃至６のうち何れか記載の入力判別装置。
【請求項１０】
前記第一剛性体と該第一剛性体が固定される第一構造物との間又は前記第二剛性体と該第二剛性体が固定される第二構造部物との間には、摺滑部材が設けられていることを特徴とする請求項８記載の入力判別装置。
【請求項１１】
前記第一剛性体は、上部構造物に固定される上沓であり、前記第二剛性体は、下部構造物に固定される下沓であることを特徴とする請求項１乃至１０のうち何れか記載の入力判別装置。
【請求項１２】
前記上部構造物は、橋桁であり、前記下部構造物は、橋脚若しくは橋台であることを特徴とする請求項１１記載の入力判別装置。
【請求項１３】
第一構造物と第二構造物との間に架設され、該第一構造物及び／又は該第二構造物への入力を判別する入力判別機構を備え、
前記入力判別機構は、一端部が前記第一構造物に係止され、他端部が前記第二構造物に係止された一個の可撓性線状部材を有し、
前記可撓性線状部材は、前記一端部と前記他端部との間の中途部に、係合力及び／又は摩擦力をもって該可撓性線状部材を撓んだ状態で保持する保持部によって、撓み部が形成されており、前記第一構造物及び／又は前記第二構造物へ入力があった場合、該撓み部の可撓性線状部材が該保持部から引き出されることを特徴とする入力判別装置。
【請求項１４】
前記保持部は、結び目であることを特徴とする請求項１３記載の入力判別装置。
【請求項１５】
前記保持部は、コキであることを特徴とする請求項１３記載の入力判別装置。
【請求項１６】
前記撓み部は、前記可撓性線状部材の一端部と他端部との間に複数個形成されていることを特徴とする請求項１３乃至１５のうち何れか記載の入力判別装置。
【請求項１７】
前記保持部は、前記撓み部が収納された収納部材に形成されていることを特徴とする請求項１３記載の入力判別装置。
【請求項１８】
前記第一構造物と前記第二構造物との間には、複数の前記入力判別機構が架設されていることを特徴とする請求項１３乃至１７のうち何れか記載の入力判別装置。
【請求項１９】
前記第一構造物は、橋桁であり、前記第二構造物は、橋脚若しくは橋台であることを特徴とする請求項１３乃至１８のうち何れか記載の入力判別装置。
【請求項２０】
前記入力判別機構は、前記第一構造物と前記第二構造物との間に配設される支承装置の近傍に設けられることを特徴とする請求項１３乃至１９のうち何れか記載の入力判別装置。
【請求項２１】
第一部材と第二部材との間に架設され、該第一部材及び／又は該第二部材への入力を判別する入力判別機構を備え、
前記入力判別機構は、一端部が前記第一部材に係止され、他端部が前記第二部材に係止された一個の可撓性線状部材を有し、
前記可撓性線状部材は、前記一端部と前記他端部との間の中途部に、係合力及び／又は摩擦力をもって該可撓性線状部材を撓んだ状態で保持する保持部によって、撓み部が形成されており、前記第一部材及び／又は前記第二部材へ入力があった場合、該撓み部の可撓性線状部材が該保持部から引き出されることを特徴とする入力判別装置。
【請求項２２】
前記第一部材は、支承体を介して相対する第一剛性体と第二剛性体のうちの第一剛性体又は該第一剛性体が固定される第一構造物であり、
前記第二部材は、前記第二剛性体又は該第二剛性体が固定される第二構造部物であることを特徴とする請求項２１記載の入力判別装置。
【発明の詳細な説明】
【技術分野】
【０００１】
本発明は、例えば建築物や橋梁等の各種構造物又はこの構造物を支承する支承装置に対しての入力の大きさを判別する入力判別装置に関する。
【背景技術】
【０００２】
建築物や橋梁等の構造物の支承装置には、ゴム板と鉄板とを交互に積層し、これらが加硫接着によって相互に接着されて構成されたゴム支承がある（特許文献１参照）。ゴム支承では、ゴムの変位を拘束することで、鉛直バネ剛性を高める工夫や回転追従性能を向上させる工夫がなされている。例えば、ゴム支承では、ゴム板と鉄板とを交互に積層し、これらを加硫接着することによって、ゴムの流動性を低減し、鉛直バネ剛性を高めるようにしている。
【０００３】
また、密閉ゴム支承では、ゴム板が下沓となる金属製ポット内に配置され、ゴム板の上にピストン状の上沓が載置され、ゴム板が非圧縮性の流体的に振る舞うように拘束されることで、回転追従性能が得られるように構成されている（特許文献２参照）。
【０００４】
更に、所謂コンパクト支承では、大きな鉛直荷重を支持するため、上沓と下沓の相対する面にそれぞれ凹部を設け、それぞれの凹部内にゴム層が配設され、鉛直荷重が加わった際にゴムが撓み変形によって半径方向外方に膨出しないようにして、鉛直バネ剛性の向上を図るようにしている（特許文献３参照）。
【先行技術文献】
【特許文献】
【０００５】
【特許文献１】特開２０００−１８２０号公報
【特許文献２】特開２０００−１７８９２１号公報
【特許文献３】特開２００９−１３７７３号公報
【発明の概要】
【発明が解決しようとする課題】
【０００６】
以上のような支承装置は、設計強度に基づいて設定された所定値以上の入力があったときに損壊し、所定値を下回る入力に対しては損壊しない。大規模震災等に予め設定された所定値以上の入力があり、上沓と下沓が相対的に大きく水平方向に変位して、上沓や下沓といった強度部材や弾性体から成る支承部が損傷した場合、支承装置は、直ちに交換する必要がある。度重なる余震が発生した場合、強度部材が損傷した支承装置は、本来の支承性能を発揮することが出来なくなる虞がある。
【０００７】
支承装置を損壊するような入力があった場合において、実際に支承装置に破損するような入力があったことは、作業員が実際に確認作業を行えば知り得ることではあるが、従来の支承装置では、確認作業のし易さ等が全く配慮されておらず、損傷があったかどうかを簡単に確認することが困難である。また、実際に、どの程度の入力があり、どの程度上沓と下沓とが相対的に変位し、どの程度損傷したのかを、事後的に確認する配慮は全くなされていない。支承装置が交換不要な程度の入力であっても、実際に、どの程度上沓と下沓とが相対的に変位したのか知るすべはない。
【０００８】
本発明は、このような実情に鑑みてなされたものであり、支承装置や構造物に対して所定値以上の入力があったかどうかを容易に確認することが出来る入力判別装置を提供することを目的とする。
【０００９】
また、本発明は、入力判別機構を、容易に交換することが出来る入力判別装置を提供することを目的とする。
【課題を解決するための手段】
【００１０】
本発明に係る入力判別装置は、第一剛性体と、第二剛性体と、第一剛性体と第二剛性体との間に配設された支承体とを有する例えば固定型支承装置、可動型支承装置、水平力分散支承装置、ゴム支承装置等と言った支承装置に取り付けられる。具体的に、この入力判別装置は、支承体を介して相対する第一剛性体と第二剛性体との間に架設され、該第一剛性体及び／又は該第二剛性体への入力を判別する入力判別機構を備える。そして、前記入力判別機構は、一端側が前記第一剛性体に係止され、他端側が前記第二剛性体に係止された一個の可撓性線状部材を有する。そして、前記可撓性線状部材は、前記一端部と前記他端部との間の中途部に、係合力及び／又は摩擦力をもって該可撓性線状部材を撓んだ状態で保持する保持部によって、撓み部が形成されており、前記第一剛性体及び／又は前記第二剛性体へ入力があった場合、該撓み部の可撓性線状部材が該保持部から引き出される。この可撓性線状部材の引出量及び／又は撓み部の撓み量の変化を確認することによって、どの程度の入力があったのかを、事後的に判別することが出来る。
【００１１】
更に、前記保持部は、結び目やコキを保持部としたときには、撓み部が摩擦力で保持され、逆動防止部を設けたときには、係合力によって保持される。また、前記保持部は、前記可撓性線状部材の一端部と他端部との間に複数個形成されるようにしても良い。これにより、入力レベルを段階的に判別することが出来る。また、前記保持部は、前記撓み部が収納された収納部材に形成されるようにしても良い。また、前記第一剛性体と前記第二剛性体との間には、複数の前記可撓性線状部材が架設されるようにしても良い。これにより、入力レベルを段階的に判別することが出来る。
【００１２】
更に、前記第一剛性体と該第一剛性体が固定される第一構造物との間又は前記第二剛性体と該第二剛性体が固定される第二構造部物との間には、摺滑部材を設けるようにしても良い。ここで、前記第一剛性体は、前記上部構造物に固定される上沓であり、前記第二剛性体は、前記下部構造物に固定される下沓である。ここで、例えば、前記上部構造物を橋桁とし、前記下部構造物を橋脚或いは橋台としても良い。また、前記第一剛性体を下部構造物に固定される下沓とし、前記第二剛性体を上部構造物に固定される下沓としても良い。
【００１３】
また、本発明に係る入力判別装置は、支承装置に設けるのではなく、構造物に直接固設することも出来る。すなわち、この入力判別装置は、前記第一構造物と前記第二構造物との間に架設され、前記第一構造物及び／又は前記第二構造物への入力を判別する入力判別機構を備える。そして、前記入力判別機構は、一端部が前記第一構造物に係止され、他端部が前記第二構造物に係止された一個の可撓性線状部材を有する。そして、前記可撓性線状部材は、前記一端部と前記他端部との間の中途部に、係合力及び／又は摩擦力をもって該可撓性線状部材を撓んだ状態で保持する保持部によって、撓み部が形成されており、前記第一構造物及び／又は前記第二構造物へ入力があった場合、該撓み部の可撓性線状部材が該保持部から引き出される。この可撓性線状部材の引出量及び／又は撓み部の撓み量の変化を確認することによって、どの程度の入力があったのかを、事後的に判別することが出来る。
【００１４】
更に、前記保持部は、結び目であっても良く、コキであっても良い。また、前記撓み部は、前記可撓性線状部材の一端部と他端部との間に複数個形成されるようにしても良い。これにより、入力レベルを段階的に判別することが出来る。また、前記保持部は、前記撓み部が収納された収納部材に形成されるようにしても良い。また、前記第一剛性体と前記第二剛性体との間には、複数の前記可撓性線状部材が架設されるようにしても良い。これにより、入力レベルを段階的に判別することが出来る。
【００１５】
ここで、例えば、前記第一構造物を橋桁とし、前記第二構造物を橋脚若しくは橋台としても良い。また、前記入力判別装置は、前記第一構造物と前記第二構造物との間に配設される支承装置の近傍に設けることも出来る。なお、ビル建物等の構造物と当該構造物の基礎構造物との間に、入力判別装置を設けるようにしても良い。
【発明の効果】
【００１６】
本発明に係る入力判別装置は、支承装置や構造物に取り付けられ、所定入力があった場合には、可撓性線状部材の引出量及び撓み部の撓み量が変化する。従って、可撓性線状部材の引出量及び／又は撓み部の撓み量の変化を確認することで、支承装置や構造物に対して、どの程度の入力があったのかを、事後的に確認することが出来る。
【００１７】
また、本発明に係る入力判別装置は、支承装置や構造物に係止するだけで、支承装置や構造物に取り付けることが出来るので、支承装置や構造物に後付けすることが出来る。更に、交換作業を簡単に行うことが出来る。
【００１８】
更に、本発明に係る入力判別装置は、可撓性線状部材の撓み部を一端部と他端部との間の任意の位置に形成することが出来る。従って、本発明に係る入力判別装置は、可撓性線状部材の引出量及び／又は撓み部の撓み量の変化を確認する際の妨げとなる障害物等を避けて、撓み部を形成することが出来るので、可撓性線状部材の引出量及び／又は撓み部の撓み量の変化を容易且つ確実に確認することが出来る。
【図面の簡単な説明】
【００１９】
【図１】固定支承装置と可動支承装置とを設けた橋梁を示す図である。
【図２】水平力分散支承装置を設けた橋梁を示す図である。
【図３】積層ゴムを用いた支承装置を示す断面図である。
【図４】すべり板を上部構造物と下部構造物との間に設けた支承装置を示す断面図である。
【図５】（Ａ）は、入力判別機構を示した正面図であり、（Ｂ）は、断面図である。
【図６】可撓性線状部材の中途部に、撓み部を複数個形成した入力判別機構を示した正面図である。
【図７】第一係止部材と第二係止部材との間に、撓み部の撓み量が異なる複数個の可撓性線状部材が結束された入力判別機構を示した正面図である。
【図８】撓み部の撓み量が異なる複数個の可撓性線状部材を支承装置に取り付けた入力判別機構を示した断面図である。
【図９】撓み部が結束部材によって形成された変形例１の入力判別機構を示し、（Ａ）は、正面図であり、（Ｂ）は、断面図である。
【図１０】（Ａ）は、変形例１の入力判別機構の撓み部及び結束部材を示した側面図であり、（Ｂ）は、変形例１の入力判別機構の結束部材を示した正面図である。
【図１１】（Ａ）は、可撓性線状部材に凹凸部が形成された変形例１の入力判別機構の変形例を示した側面図であり、（Ｂ）は、変形例１の入力判別機構の変形例の結束部材を示した正面図である。
【図１２】撓み部が収納部材に収納された変形例２の入力判別機構を示し、（Ａ）は、正面図であり、（Ｂ）は、断面図である。
【図１３】変形例２の入力判別機構を示した斜視図である。
【図１４】逆動防止部材を示した正面図である。
【図１５】折曲部が設けられた収納部材を示した断面図である。
【図１６】入力判別機構を上部構造物と下部構造物との間に取り付けた変形例３の入力判別機構を示した断面図である。
【図１７】一端部だけが上沓に係止された可撓性線状部材の他端部側を内部に収納する収納部材を有する参考例１の入力判別機構を示した断面図である。
【図１８】参考例１の入力判別機構を示した斜視図である。
【図１９】参考例１の入力判別機構の変形例を示した断面図である。
【図２０】一端部だけが上沓に係止された可撓性線状部材の他端部側の中途部を保持する保持部材を有する参考例２の入力判別機構を示した断面図である。
【図２１】参考例２の入力判別機構を示した斜視図である。
【図２２】参考例２の入力判別機構の変形例を示した断面図である。
【図２３】一端部だけが上沓に係止された可撓性線状部材の他端部側を内部に収納する収納部材を有する参考例３の入力判別機構を示した断面図である。
【図２４】参考例３の入力判別機構を示した正面図である。
【図２５】参考例３の入力判別機構の変形例を示した断面図である。
【図２６】参考例３の入力判別機構の他の変形例を示した断面図である。
【図２７】建物の上部構造物と下部構造物との間に架設された入力判別機構を示す図である。
【発明を実施するための形態】
【００２０】
以下、本発明を適用した入力判別装置について図面を参照して、以下の順に沿って説明する。
【００２１】
１．概説
２．支承装置の説明
３．入力判別機構の説明
４．入力判別機構の変形例１
５．入力判別機構の変形例２
６．入力判別機構の変形例３
７．入力判別機構の参考例１
８．入力判別機構の参考例１の変形例
９．入力判別機構の参考例２
１０．入力判別機構の参考例２の変形例
１１．入力判別機構の参考例３
１２．入力判別機構の参考例３の変形例
１３．その他の変形例
【００２２】
［１．概説］
図１に示すように、橋梁１では、一つの橋桁の一端側に位置する橋脚や橋台といった下部構造物２に固定支承装置３ａを設け、他端側に位置する下部構造物２に可動支承装置３ｂを設け、固定−可動支持構造を採用し、橋桁等の上部構造物４を支承することがある。固定支承装置３ａは、一般に、上部構造物４の回転変形に対応して鉛直荷重を支持しつつ、水平・鉛直方向の変位を拘束して制限し、可動支承装置３ｂは、一般に、上部構造物４の回転変形と水平変位に対応する。固定支承装置３ａは、固定型ゴム支承であっても良いし、ピン支承等の鋼製支承であっても良い。また、可動支承装置３ｂは、可動型ゴム支承であっても良いし、ローラー支承等の鋼製支承であっても良い。固定支承装置３ａは、可動支承装置３ｂと比べて、第一剛性体としての上沓と第二剛性体としての下沓との水平方向の相対的変位量は大きくないが、固定支承装置３ａ、可動支承装置３ｂの何れの支承装置であっても、地震動等の入力の大小に関わらず、入力があれば、上沓と下沓とは相対的に変位し、設計強度を超える入力があれば、上沓と下沓との相対的な変位量が許容値を超え、上沓や下沓といった強度部材が損傷することになる。
【００２３】
また、図２に示すように、支承装置には、下部構造物２に水平力分散支承装置５が設けられることもある。水平力分散支承装置５は、積層ゴム支承が用いられることが多い。この水平力分散支承装置５にあっても、同様に、入力があれば、上沓と下沓とが相対的に変位し、且つ、設計強度を超える入力があれば、上沓と下沓との相対的な変位量が許容値を超え、上沓や下沓といった強度部材や積層ゴム等が損傷する。なお、このような事情は他の免震ゴム支承装置についても、同様である。
【００２４】
本発明が適用された入力判別装置では、上述のような支承装置に、入力判別機構を設けることによって、入力を判別出来るようにする。
【００２５】
一般に、支承装置は、第一剛性体としての上沓と第二剛性体としての下沓との間に支承体が設けられた構造物であり、入力判別機構は、上沓と下沓との間に架設される。具体的に、入力判別機構は、一端部が上沓に係止され、他端部が下沓に係止され、一端部と他端部との間の中途部に所定の撓み量を有する撓み部が形成された可撓性線状部材で構成され、可撓性線状部材の引出量及び／又は撓み部の撓み量の変化によって、例えば、設計強度を超える入力があったかどうかやどの程度の入力があったかを事後的に確認することが出来る。
【００２６】
なお、ここでは、橋梁用の支承装置を例に説明するが、建物の基礎となる下部構造物と建物といった上部構造物との間の免震層に配設される免震装置に用いられる支承装置であっても良い。
【００２７】
［２．支承装置の説明］
本発明の支承装置１０は、図３に示すように、橋脚や橋台といった下部構造物２と橋桁等の上部構造物４との間に装着して水平荷重や鉛直荷重、回転荷重等の各種の荷重を支えると共に、地震や風、動的又は静的交通荷重等による揺動や振動、応力を吸収、分散しつつ、支承する橋梁用支承装置である。この支承装置１０は、鉛直荷重支持性能や水平荷重支持性能や鉛直回転性能を調整することによって、固定支承装置３ａや可動支承装置３ｂや水平力分散支承装置５や免震支承装置として用いることが出来る。この支承装置１０は、第一剛性体としての上沓１１と第二剛性体としての下沓１２との間に支承体１３が介在されている。
【００２８】
上沓１１は、強度部材であり、金属やセラミックス、或いは硬質樹脂やＦＲＰの如くの強化樹脂等の剛性素材によって構成することが好ましいが、必ずしも剛性素材に限定されるものではなく、弾性素材や剛性素材と弾性素材との組合せによって構成される材料によっても構成することが出来る。各種素材から構成される上沓１１は、平面形状が略多角形、略円形、略長円径、略楕円形等の適宜の形状に設定することが出来るが、方形又は円形とすることが製造上、或いは施工上、交換上有利である。なお、上沓１１は、外表面を全体的に弾性体等の被覆層で覆って、耐候性、防錆効果を得るように構成することも出来る。
【００２９】
上部構造物４に対する上沓１１の固定手段は、例えばボルト、ナット等の締結手段を用いて上沓を上部構造物に対して直接的に固定しても良いが、ここでは、上沓１１よりも広面積の板状をなす上部プレート１６を用いて上沓１１を上部構造物４に対して間接的に固定している。上沓１１の上部構造物４への固定方法は、これらの例に限定されるものではない。
【００３０】
なお、可動支承装置として用いるとき等は、図４に示すように、上沓１１の上部、例えば上沓１１と上部プレート１６との間に摺滑部材１４を配設して、上部構造物４と支承装置１０とを相対変位可能に固定しても良い。この摺滑部材１４としては、例えば、フッ化炭素樹脂の一種であるポリテトラフルオロエチレン（ＰＴＦＥ）の如くの低摩擦係数の表面を有するプレート等を、上沓１１の上面に固定したり、又は上部構造物４や上部構造物４に固定される取付手段側の下面に固定することによって構成することが可能である。
【００３１】
下沓１２は、図３及び図４に示すように、上沓１１同様、強度部材であり、金属やセラミックス、或いは硬質樹脂やＦＲＰの如くの強化樹脂等の剛性素材によって構成することが好ましいが、必ずしも剛性素材に限定されるものではなく、弾性素材や剛性素材と弾性素材との組合せによって構成される材料を用いて構成することも出来る。各種素材から構成される下沓１２は、平面形状が略多角形、略円形、略長円径、略楕円形等の適宜の形状に設定することが出来るが、方形又は円形とすることが製造上、又は施工上、交換上で有利である。下沓１２の平面形状等は、必ずしも上沓１１と一致させる必要はないが、各部のサイズと、凸部や凹部の形状や位置等は下沓１２の設定と上沓１１の設定を互いに整合させる必要がある。なお、下沓１２は、外表面を全体的に弾性体等の被覆層で覆って、耐候性、防錆効果を得るように構成することも出来る。
【００３２】
下部構造物に対する下沓１２の固定手段は、例えばボルト、ナット等の締結手段を用いて下沓１２を下部構造物２に対して直接的に固定してもよいが、ここでは、下沓１２よりも広面積の板状をなす下部プレート１７の如くの下部固定手段を用いて下沓１２を下部構造物２に対して間接的に固定している。下沓１２の下部構造物２への固定方法は、これらの例に限定されるものではない。
【００３３】
なお、可動支承装置として用いるとき等は、下沓１２の下部、例えば下部プレート１７と下沓１２との間に摺滑部材１５を配設して、下部構造物２と支承装置１０とを相対変位可能に固定しても良い。この摺滑部材１５としては、例えば、ＰＴＦＥの如くの低摩擦係数の表面を有するプレート等を、下沓１２の下面に固定したり、又は下部構造物２や下部構造物２に固定される取付手段側の上面に固定することが可能である。
【００３４】
尚、上沓１１や下沓１２の直接的又は間接的な固定は、着脱可能な方法とするのが好ましく、ボルト、ナット等による締結はその一例である。
【００３５】
支承体１３は、配設部位と配設量によって、鉛直荷重支持性能や水平荷重支持性能、並びに鉛直回転性能を調節することが出来る。ここでは、例えば、積層ゴムを使用し、弾性層１３ａには、天然ゴムや合成ゴム、熱可塑性エラストマや熱硬化性エラストマを用いることができ、これらの中でも天然ゴムを主成分として使用することが好ましい。具体的なエラストマ成分としては、例えば、天然ゴム（ＮＲ）、ポリイソプレンゴム（ＩＲ）、ポリブタジエンゴム（ＢＲ）、スチレン−ブタジエンゴム（ＳＢＲ）、クロロプレンゴム（ＣＲ）、エチレン−プロピレンゴム、ブチルゴム（ＩＩＲ）、ハロゲン化ブチルゴム（臭素化、塩素化等）、アクリルゴム、ポリウレタン、シリコーンゴム、フッ化ゴム、多硫化ゴム、ハイパロン、エチレン酢酸ビニルゴム、エピクロルヒドリンゴム、エチレン−メチルアクリレート共重合体、スチレン系エラストマ、ウレタン系エラストマ、ポリオレフィン系エラストマ、アクリロニトリル−ブタジエンゴム（ＮＢＲ）、スチレン・イソプレン・スチレンブロック共重合体（ＳＩＳ）、エポキシ化天然ゴム、ｔｒａｎｓ−ポリイソプレン、ノルボルネン開環重合体（ポリノルボルネン）、スチレンブタジエンゴム（ＳＢＲ）、ハイスチレン樹脂、イソプレンゴム等のゴムを一種単独、或いは二種以上を併用することが出来る。
【００３６】
弾性層１３ａの間に介在される補強板１３ｂは、例えば鉄板といった金属製の鋼板である。支承体１３は、弾性層１３ａと補強板１３ｂとを交互に積層し、これらを加硫接着によって相互に接着して構成される。支承体１３は、鉛直荷重支持性能や水平荷重支持性能、並びに鉛直回転性能は、弾性層の面積や厚さ、数、補強板の面積や厚さ、数等によって調節することが出来る。
【００３７】
なお、免震構造とするときには、支承体１３を、鉛プラグ入りゴム支承としたり、高減衰ゴム支承のようにしても良い。
【００３８】
［３．入力判別機構の説明］
図５に示すように、以上のような支承装置１０には、入力判別機構２０が取り付けられている。具体的に、この入力判別機構２０は、一端部２１ａが上沓１１に係止され、他端部２１ｂが下沓１２に係止されて、上沓１１と下沓１２との間に架設された可撓性線状部材２１を有する。
【００３９】
この入力判別機構２０の可撓性線状部材２１は、繊維、鋼材、樹脂等の可撓性を有する線材で形成されており、例えば、ワイヤ、紐、糸、ロープ、ベルト等である。なお、可撓性線状部材２１は、非伸縮性であることが好ましい。
【００４０】
更に、可撓性線状部材２１は、一端部２１ａと他端部２１ｂとの間の中途部２１ｃに、所定の撓み量を有する撓み部２２が形成されている。この撓み部２２は、例えば、可撓性線状部材２１の中途部２１ｃが引き解け結びで結ばれることで形成されており、環状に設けられている。
【００４１】
ここで、引き解け結びについては、従来公知の結び方であるので詳細な説明は省略するが、引き解け結びは、可撓性線状部材２１の一方の端部（ここでは、一端部２１ａ）を引くことで、撓み部２２から結び目２３よりも一端部２１ａ側へ可撓性線状部材２１を引き出すことが出来、撓み部２２の撓み量分引き出されると、結び目２３が解かれるといった特徴を有している。
【００４２】
更に、可撓性線状部材２１には、摩擦力で撓み部２２を保持する保持部となる結び目２３によって、所定の摩擦力が作用するように設けられている。従って、可撓性線状部材２１は、所定の力以上で一端部２１ａを引くことで、撓み部２２を結び目２３よりも一端部２１ａ側へ引き出すことが出来る。その一方で、可撓性線状部材２１は、引き出された部分が結び目２３から撓み部２２に再度入り込まないように、摩擦力によって逆動防止が図られ、一度引き出された可撓性線状部材２１の引出量を変化させずに維持することが出来る。
【００４３】
このような可撓性線状部材２１は、一端部２１ａが環状の第一固定部２４ａを有する第一係止部材２４によって結束され、他端部２１ｂが環状の第二固定部２５ａを有する第二係止部材２５によって結束されている。可撓性線状部材２１の一端部２１ａを結束した第一係止部材２４は、第一固定部２４ａに第一固定ネジ２４ｂが挿通されて、上沓１１の外周面に形成された第一ネジ孔２４ｃに固定されている。可撓性線状部材２１の他端部２１ｂを結束した第二係止部材２５は、第二固定部２５ａに第二固定ネジ２５ｂが挿通されて、下沓１２の外周面に形成された第二ネジ孔２５ｃに固定されている。
【００４４】
以上のような構成を有する入力判別機構２０では、例えば、上沓１１及び／又は下沓１２へ入力があった場合には、その入力に応じて、可撓性線状部材２１の一端部２１ａと他端部２１ｂとが離間する方向に相対移動することで、撓み部２２の可撓性線状部材２１が結び目２３よりも一端部２１ａ側へ引き出されて、可撓性線状部材２１の引出量及び撓み部２２の撓み量が変化する。入力判別機構２０では、可撓性線状部材２１の引出量及び／又は撓み部２２の撓み量の変化を確認することで、どの程度の入力があったかを、事後的に確認することが出来る。
【００４５】
また、入力判別機構２０は、中途部２１ｃに撓み部２２を有する可撓性線状部材２１を、上沓１１や下沓１２の外周面に係止するだけで、上部構造物４と下部構造物２の間に設置されている支承装置１０に簡単に取り付けることが出来る。また、入力判別機構２０は、支承装置１０を上部構造物４と下部構造物２との間に設置した後に、支承装置１０に後付けすることが出来る。更に、入力判別機構２０は、既設の支承装置１０にも後付けすることが出来る。更にまた、入力判別機構２０は、交換作業を簡単に行うことが出来る。
【００４６】
更に、入力判別機構２０は、可撓性線状部材２１の中途部２１ｃを引き解け結びで結ぶことで撓み部２２が形成されているので、中途部２１ｃの引き解け結びで結ぶ位置を変えることで、撓み部２２を中途部２１ｃの任意の位置に形成することが出来る。これにより、入力判別機構２０では、例えば、作業者の見易さを考慮して、撓み部２２を中途部２１ｃの一端部２１ａ側（上方）に形成したり、撓み部２２を中途部２１ｃの他端部２１ｂ側（下方）に形成したりすることが出来る。即ち、入力判別機構２０では、可撓性線状部材２１の引出量及び／又は撓み部２２の撓み量の変化を確認する際の妨げとなる障害物等を避けて、撓み部２２を形成することが出来る。従って、入力判別機構２０では、可撓性線状部材２１の引出量及び／又は撓み部２２の撓み量の変化を容易且つ確実に確認することが出来る。
【００４７】
なお、入力判別機構２０は、可撓性線状部材２１の中途部２１ｃの結び目２３の近傍に、初期位置を示す初期位置マークを設けるようにしても良い。これにより、入力判別機構２０は、初期位置マークを用いて、可撓性線状部材２１の引出量を容易に確認することが出来、どの程度の入力があったのかを、事後的に容易に確認することが出来る。
【００４８】
また、入力判別機構２０は、可撓性線状部材２１の外表面の全面又は撓み部２２に、等間隔にマークを設けて目盛部を設けるようにしても良い。これにより、入力判別機構２０は、目盛部を用いて、可撓性線状部材２１の引出量を容易に確認することが出来、どの程度の入力があったかを、事後的に容易に確認することが出来る。
【００４９】
更に、入力判別機構２０は、可撓性線状部材２１の外表面の全面又は撓み部２２を、等間隔に色分けするようにしても良い。これにより、入力判別機構２０は、色分けした部分を用いて、可撓性線状部材２１の引出量を容易に確認することが出来、どの程度の入力があったかを、事後的に容易に確認することが出来る。
【００５０】
また、入力判別機構２０は、可撓性線状部材２１の撓み部２２の外表面に、所定の間隔で複数個のマークを設けるようにしても良い。これにより、入力判別機構２０は、結び目２３から何個目のマークまで引き出されたのかを確認することで、どの程度の入力があったのかを、事後的に確認することが出来る。
【００５１】
例えば、入力判別機構２０は、撓み部２２の外表面に二個のマークを設けることで、三段階の入力レベルを判別することが出来る。この場合、より好ましくは、第一マークを、これ以上上沓１１と下沓１２とが相対的に変位した場合に支承装置１０の交換が必要となる程度の上沓１１と下沓１２との相対的変位量に対応する位置に形成する。更に、第二マークを、これ以上上沓１１と下沓１２とが相対的に変位した場合に直ちに支承装置１０の交換が必要となる程度の上沓１１と下沓１２との相対的変位量に対応する位置に形成する。
【００５２】
これにより、入力判別機構２０は、例えば、撓み部２２から第一マークが引き出されていない場合には、支承装置１０の交換は不要であるレベル（レベル１）と判別することが出来る。また、入力判別機構２０は、撓み部２２から第一マークが引き出されているが、第二マークが引き出されていない場合には、支承装置１０の交換は必要であるが緊急を要しないレベル（レベル２）と判別することが出来る。更に、入力判別機構２０は、撓み部２２から第一マークと第二マークとが引き出されている場合には、支承装置１０の交換が直ちに必要であるレベル（レベル３）と判別することが出来る。
【００５３】
従って、入力判別機構２０は、撓み部２２から何個目のマークまで引き出されたのかを確認することで、どの程度の入力（入力レベル）があったのかを、事後的に確認することが出来る。更に、入力判別機構２０は、どの支承装置１０を優先的に交換する必要があるのかを容易に判断することが出来る。
【００５４】
なお、可撓性線状部材２１に設けるマークの数は、二個に限定されるものではなく、第一マーク又は第二マークの何れか一個でも良く、第一マーク及び第二マークに初期位置マークを含めた三個でも良く、レベル１〜レベル３をより細かくレベル分けするために、三個以上であっても良い。可撓性線状部材２１に設けるマークの数が多いほど、入力レベルをより細かく判別することが出来る。
【００５５】
また、入力判別機構２０は、可撓性線状部材２１の撓み部２２の外表面を、所定の間隔で色分けするようにしても良い。これにより、入力判別機構２０は、撓み部２２から何色の部分までが引き出されたのかを確認することで、どの程度の入力があったのかを、事後的に確認することが出来る。
【００５６】
例えば、入力判別機構２０は、撓み部２２の外表面を三色に色分けすることで、三段階の入力レベルを判別することが出来る。この場合、より好ましくは、撓み部２２の外表面の、これ以上上沓１１と下沓１２とが相対的に変位した場合に支承装置の交換が必要となる程度の上沓１１と下沓１２との相対的変位量に対応する位置までを、第一色にする。更に、この位置から、これ以上上沓１１と下沓１２とが相対的に変位した場合に直ちに支承装置の交換が必要となる程度の上沓１１と下沓１２との相対的変位量に対応する位置までを、第二色にし、これ以降の部分を第三色にする。例えば、第一色は、青色であり、第二色は、黄色であり、第三色は、赤である。
【００５７】
これにより、入力判別機構２０は、例えば、撓み部２２の第一色の部分しか引き出されていない場合には、支承装置１０の交換は不要であるレベル（レベル１）と判別することが出来る。また、入力判別機構２０は、撓み部２２の第二色の部分まで引き出されている場合には、支承装置１０の交換は必要であるが緊急を要しないレベル（レベル２）と判別することが出来る。更に、入力判別機構２０は、撓み部２２の第三色の部分まで引き出されている場合には、支承装置１０の交換が直ちに必要であるレベル（レベル３）と判別することが出来る。
【００５８】
従って、入力判別機構２０は、撓み部２２の何色の部分までが引き出されているのかを確認することで、どの程度の入力（入力レベル）があったのかを、事後的に確認することが出来る。更に、入力判別機構２０は、どの支承装置１０を優先的に交換する必要があるのかを容易に判断することが出来る。
【００５９】
なお、撓み部２２を色分けする色の数は、三色に限定されるものではなく、二色でも良く、レベル１〜レベル３をより細かくレベル分けするために、四色以上であっても良い。撓み部２２を色分けする色の数が多いほど、入力レベルをより細かく判別することが出来る。更に、撓み部２２を色分けする色は、上述した色に限定されるものではなく、他の色であっても良く、その内の一色を可撓性線状部材２１自体の色としても良い。
【００６０】
また、入力判別機構２０は、可撓性線状部材２１の中途部２１ｃに、撓み部２２を一個形成することに限定されるものではなく、図６に示すように、複数個形成するようにしても良い。これにより、入力判別機構２０は、結び目２３が解かれた撓み部２２の数又は結び目２３が解かれていない撓み部２２の数を確認することで、どの程度の入力があったのかを、事後的に確認することが出来る。
【００６１】
例えば、入力判別機構２０は、可撓性線状部材２１の中途部２１ｃに、撓み部２２を二個形成する。この場合、より好ましくは、支承装置１０の交換が必要となる程度、上沓１１と下沓１２とが相対的に変位した場合、第一撓み部２２の結び目２３が解けて、第二撓み部２２の結び目２３が残り、直ちに支承装置１０の交換が必要となる程度、上沓１１と下沓１２とが相対的に変位した場合、第一撓み部２２の結び目２３と第二撓み部２２の結び目２３とが解けるように、第一撓み部２２の撓み量と第二撓み部２２の撓み量と可撓性線状部材２１の全長とを設定する。
【００６２】
これにより、入力判別機構２０は、例えば、第一撓み部２２の結び目２３と第二撓み部２２の結び目２３とが解かれていない場合には、支承装置１０の交換は不要であるレベル（レベル１）と判別することが出来る。また、入力判別機構２０は、第一撓み部２２の結び目２３が解かれているが、第二撓み部２２の結び目２３が解かれていない場合には、支承装置１０の交換は必要であるが緊急を要しないレベル（レベル２）と判別することが出来る。更に、入力判別機構２０は、第一撓み部２２の結び目２３と第二撓み部２２の結び目２３とが解かれている場合には、支承装置１０の交換が直ちに必要であるレベル（レベル３）と判別することが出来る。
【００６３】
従って、入力判別機構２０は、結び目２３が解かれた撓み部２２の数又は結び目２３が解かれていない撓み部２２の数を確認することで、どの程度の入力（入力レベル）があったのかを、事後的に確認することが出来る。更に、入力判別機構２０は、どの支承装置１０を優先的に交換する必要があるのかを容易に判断することが出来る。
【００６４】
なお、可撓性線状部材２１の中途部２１ｃに設ける撓み部２２の数は、二個に限定されるものではなく、レベル１〜レベル３をより細かくレベル分けするために、三個以上であっても良い。可撓性線状部材２１の中途部２１ｃに設ける撓み部２２の数が多いほど、入力レベルをより細かく判別することが出来る。
【００６５】
また、入力判別機構２０は、支承装置１０の交換が必要となる程度、上沓１１と下沓１２とが相対的に変位した場合に、撓み部２２の結び目２３が解け、直ちに支承装置１０の交換が必要となる程度、上沓１１と下沓１２とが相対的に変位した場合に、可撓性線状部材２１が切断するように、撓み部２２の撓み量と可撓性線状部材２１の全長と可撓性線状部材２１の強度を設定するようにしても良い。
【００６６】
これにより、入力判別機構２０は、例えば、撓み部２２の結び目２３が解かれていない場合には、支承装置１０の交換は不要であるレベル（レベル１）と判別することが出来る。また、入力判別機構２０は、撓み部２２の結び目２３が解かれているが、可撓性線状部材２１が切断されていない場合には、支承装置１０の交換は必要であるが緊急を要しないレベル（レベル２）と判別することが出来る。更に、入力判別機構２０は、可撓性線状部材２１が切断されている場合には、支承装置１０の交換が直ちに必要であるレベル（レベル３）と判別することが出来る。
【００６７】
従って、入力判別機構２０は、どの程度の入力（入力レベル）があったのかを、事後的に確認することが出来る。更に、入力判別機構２０は、どの支承装置１０を優先的に交換する必要があるのかを容易に判断することが出来る。
【００６８】
また、入力判別機構２０は、第一係止部材２４と第二係止部材２５との間に、一個の可撓性線状部材２１が結束されることに限定されるものではなく、図７に示すように、撓み部２２の撓み量が異なる複数本の可撓性線状部材２１が結束されるようにしても良い。これにより、入力判別機構２０は、結び目２３が解かれた撓み部２２を有する可撓性線状部材２１の数又は結び目２３が解かれていない撓み部２２を有する可撓性線状部材２１の数を確認することで、どの程度の入力があったかを、事後的に確認することが出来る。
【００６９】
例えば、入力判別機構２０は、第一係止部材２４と第二係止部材２５との間に、撓み部２２の撓み量が異なる二個の可撓性線状部材２１，２１が結束される。この場合、より好ましくは、支承装置１０の交換が必要となる程度、上沓１１と下沓１２とが相対的に変位した場合には、第一可撓性線状部材２１の撓み部２２の結び目２３が解けて、第二可撓性線状部材２１の撓み部２２の結び目２３は残る。また、直ちに支承装置１０の交換が必要となる程度、上沓１１と下沓１２とが相対的に変位した場合には、第一可撓性線状部材２１の撓み部２２の結び目２３と第二可撓性線状部材２１の撓み部２２の結び目２３とが解かれるように、第一可撓性線状部材２１の撓み部２２の撓み量と第二可撓性線状部材２１の撓み部２２の撓み量とを設定する。
【００７０】
これにより、入力判別機構２０は、例えば、第一可撓性線状部材２１の撓み部２２の結び目２３と第二可撓性線状部材２１の撓み部２２の結び目２３とが解かれていない場合には、支承装置１０の交換は不要であるレベル（レベル１）と判別することが出来る。また、入力判別機構２０は、第一可撓性線状部材２１の撓み部２２の結び目２３が解かれているが、第二可撓性線状部材２１の撓み部２２の結び目２３が解かれていない場合には、支承装置１０の交換は必要であるが緊急を要しないレベル（レベル２）と判別することが出来る。更に、入力判別機構２０は、第一可撓性線状部材２１の撓み部２２の結び目２３と第二可撓性線状部材２１の撓み部２２の結び目２３とが解かれている場合には、支承装置１０の交換が直ちに必要であるレベル（レベル３）と判別することが出来る。
【００７１】
従って、入力判別機構２０は、結び目２３が解かれた撓み部２２を有する可撓性線状部材２１の数又は結び目２３が解かれていない撓み部２２を有する可撓性線状部材２１の数を確認することで、どの程度の入力（入力レベル）があったのかを、事後的に確認することが出来る。更に、入力判別機構２０は、どの支承装置１０を優先的に交換する必要があるのかを容易に判断することが出来る。
【００７２】
なお、第一係止部材２４と第二係止部材２５との間に結束される可撓性線状部材２１の数は、二個に限定されるものではなく、レベル１〜レベル３をより細かくレベル分けするために、三個以上であっても良い。第一係止部材２４と第二係止部材２５との間に結束される可撓性線状部材２１の数が多いほど、入力レベルをより細かく判別することが出来る。
【００７３】
また、入力判別機構２０は、可撓性線状部材２１が支承装置１０に一個取り付けられることに限定されるものではなく、図８に示すように、撓み部２２の撓み量が異なる複数本の可撓性線状部材２１が支承装置１０に複数個取り付けられるようにしても良い。これにより、入力判別機構２０は、結び目２３が解かれた撓み部２２を有する可撓性線状部材２１の数又は結び目２３が解かれていない撓み部２２を有する可撓性線状部材２１の数を確認することで、どの程度の入力があったかを、事後的に確認することが出来る。
【００７４】
例えば、入力判別機構２０は、支承装置１０の外周部に可撓性線状部材２１が二個取り付けられている。この場合、より好ましくは、支承装置１０の交換が必要となる程度、上沓１１と下沓１２とが相対的に変位した場合に、第一可撓性線状部材２１の撓み部２２の結び目２３が解けて、第二可撓性線状部材２１の撓み部２２の結び目２３が残り、直ちに支承装置の交換が必要となる程度、上沓１１と下沓１２とが相対的に変位した場合に、第一可撓性線状部材２１の撓み部２２の結び目２３と第二可撓性線状部材２１の撓み部２２の結び目２３とが解けるように、第一可撓性線状部材２１の撓み部２２の撓み量と第二可撓性線状部材２１の撓み部２２の撓み量とを設定する。なお、第一可撓性線状部材２１及び第二可撓性線状部材２１は、支承装置１０の外周部に等間隔に配設されるようにしても良く、任意の位置に配設されるようにしても良い。
【００７５】
これにより、入力判別機構２０は、例えば、第一可撓性線状部材２１の撓み部２２の結び目２３と第二可撓性線状部材２１の撓み部２２の結び目２３とが解かれていない場合には、支承装置１０の交換は不要であるレベル（レベル１）と判別することが出来る。また、入力判別機構２０は、第一可撓性線状部材２１の撓み部２２の結び目２３が解かれているが、第二可撓性線状部材２１の撓み部２２の結び目２３が解かれていない場合には、支承装置１０の交換は必要であるが緊急を要しないレベル（レベル２）と判別することが出来る。更に、入力判別機構２０は、第一可撓性線状部材２１の撓み部２２の結び目２３と第二可撓性線状部材２１の撓み部２２の結び目２３とが解かれている場合には、支承装置１０の交換が直ちに必要であるレベル（レベル３）と判別することが出来る。
【００７６】
従って、入力判別機構２０は、結び目２３が解かれた撓み部２２を有する可撓性線状部材２１の数又は結び目２３が解かれていない撓み部２２を有する可撓性線状部材２１の数を確認することで、どの程度の入力（入力レベル）があったかを、事後的に確認することが出来る。更に、入力判別機構２０は、どの支承装置１０を優先的に交換する必要があるのかを容易に判断することが出来る。
【００７７】
なお、支承装置１０に取り付けられる可撓性線状部材２１の数は、二個に限定されるものではなく、レベル１〜レベル３をより細かくレベル分けするために、三個以上であっても良い。支承装置１０に取り付けられる可撓性線状部材２１の数が多いほど、入力レベルをより細かく判別することが出来る。
【００７８】
［４．入力判別機構の変形例１］
上述した入力判別機構２０では、可撓性線状部材２１の撓み部２２が引き解け結びによって形成されているが、変形例１の入力判別機構３０では、図９及び図１０に示すように、結束部材３１によって形成されている。なお、入力判別機構３０については、上述した入力判別機構２０と同様の構成を有するものは同じ符号を付して説明を省略し、以下、異なる構成についてのみ説明する。
【００７９】
撓み部２２を形成する結束部材３１は、例えば、金属や樹脂等の材料から成る板部材に、可撓性線状部材２１が挿通可能な挿通孔３１ａが二個形成され、挿通孔３１ａ，３１ａに挿通された可撓性線状部材２１の長さ、即ち、撓み部２２の長さが調整可能なアジャスターであるコキで構成されている。結束部材３１の挿通孔３１ａ，３１ａは、摩擦力で撓み部２２を保持する保持部となり、可撓性線状部材２１に対して所定の摩擦力が作用するように形成されている。これにより、結束部材３１は、所定の力以上で可撓性線状部材２１の一端部２１ａ及び／又は他端部２１ｂが引かれると、撓み部２２から可撓性線状部材２１が引き出される。その一方で、結束部材３１は、一度引き出された可撓性線状部材２１が摩擦力によって挿通孔３１ａ内に再度入り込まないように逆動防止が図られ、引き出された撓み部２２の撓み量を変化させずに維持することが出来る。
【００８０】
以上のように、結束部材３１によって撓み部２２が形成される入力判別機構３０にあっても、例えば、上沓１１及び／又は下沓１２へ入力があった場合には、その入力に応じて、可撓性線状部材２１の一端部２１ａと他端部２１ｂとが離間する方向に相対移動することで、撓み部２２の可撓性線状部材２１が結束部材３１よりも一端部２１ａ側へ引き出されて、可撓性線状部材２１の引出量及び撓み部２２の撓み量が変化する。従って、入力判別機構３０にあっても、可撓性線状部材２１の引出量及び／又は撓み部２２の撓み量の変化を確認することで、どの程度の入力があったかを、事後的に確認することが出来る。
【００８１】
また、入力判別機構３０にあっても、結束部材３１によって形成された撓み部２２を有する可撓性線状部材２１を、上沓１１や下沓１２の外周面に固定するだけで、支承装置１０に取り付けることが出来、簡単に支承装置１０に取り付けることが出来る。また、入力判別機構３０は、支承装置１０を下部構造物２と上部構造物４との間に装着した後に、支承装置１０に後付けすることが出来る。更に、入力判別機構３０は、既設の支承装置１０にも後付けすることが出来る。更にまた、入力判別機構３０は、交換作業を簡単に行うことが出来る。
【００８２】
更に、入力判別機構３０にあっても、中途部２１ｃの結束部材３１によって作成する位置を変えることで、撓み部２２を中途部２１ｃの任意の位置に形成することが出来る。従って、入力判別機構３０にあっても、可撓性線状部材２１の引出量及び／又は撓み部２２の撓み量の変化を容易且つ確実に確認することが出来る。
【００８３】
なお、入力判別機構３０にあっても、入力判別機構２０と同様に、可撓性線状部材２１の中途部２１ｃの結束部材３１の近傍に、初期位置を示す初期位置マークを設けるようにしても良い。また、入力判別機構３０にあっても、入力判別機構２０と同様に、可撓性線状部材２１の外表面の全面又は撓み部２２に、マークを設けるようにしても良い。更に、入力判別機構３０にあっても、入力判別機構２０と同様に、可撓性線状部材２１の外表面の全面又は撓み部２２を、色分けするようにしても良い。
【００８４】
また、入力判別機構３０にあっても、入力判別機構２０と同様に、可撓性線状部材２１の中途部２１ｃに、撓み部２２を複数個形成するようにしても良い。更に、入力判別機構３０にあっても、入力判別機構２０と同様に、支承装置１０の交換が必要となる程度、上沓１１と下沓１２とが相対的に変位した場合に、撓み部２２の撓み量がなくなり、直ちに支承装置１０の交換が必要となる程度、上沓１１と下沓１２とが相対的に変位した場合に、可撓性線状部材２１が切断するように、撓み部２２の撓み量と可撓性線状部材２１の全長と可撓性線状部材２１の強度を設定するようにしても良い。
【００８５】
また、入力判別機構３０にあっても、入力判別機構２０と同様に、第一係止部材２４と第二係止部材２５との間に、撓み部２２の撓み量が異なる複数本の可撓性線状部材２１が結束されるようにしても良い。更に、入力判別機構３０にあっても、入力判別機構２０と同様に、支承装置１０に可撓性線状部材２１が複数個取り付けられるようにしても良い。
【００８６】
また、入力判別機構３０では、図１１に示すように、特に可撓性線状部材２１がベルト等の幅広な場合、可撓性線状部材２１の一主面に、逆動防止爪となる鋸歯状の凹凸部３２を形成するようにしても良い。この凹凸部３２は、可撓性線状部材２１の一端部２１ａと他端部２１ｂとが近接する方向に相対移動された場合には、結束部材３１と係合するが、可撓性線状部材２１の一端部２１ａと他端部２１ｂとが離間する方向に相対移動された場合には、結束部材３１とは係合しないように形成されている。これにより、結束部材３１は、より確実に、一度引き出された撓み部２２の撓み量を変化させずに維持することが出来る。なお、凹凸部３２は、垂直面と傾斜面とを有する直角三角形状に形成され、可撓性線状部材２１の一端部２１ａと他端部２１ｂとが近接する方向に相対移動された場合には、垂直面が、結束部材３１と係合し、離間する方向に相対移動された場合には、垂直面と係合することなく、傾斜面が、近接する方向のときよりも弱く、例えば、クリック感が付加される程度に、結束部材３１と係合するようにしても良い。
【００８７】
［５．入力判別機構の変形例２］
上述した入力判別機構２０，３０では、結び目２３及び結束部材３１に対する撓み部２２の引出量を確認することで、どの程度の入力があったのかを、事後的に確認していたが、変形例２の入力判別機構４０では、図１２及び図１３に示すように、撓み部２２が収納部材４１に収納され、収納部材４１に対する撓み部２２の引出量を確認することで、どの程度の入力があったかを、事後的に確認する。なお、収納部材４１に収納される撓み部２２は、入力判別機構２０，３０のように、結び目２３及び結束部材３１によって結束されていても良いが、結束されていなくとも良い。ここでは、入力判別機構４０については、上述した入力判別機構２０，３０と同様の構成を有するものは同じ符号を付して説明を省略し、以下、異なる構成についてのみ説明する。
【００８８】
可撓性線状部材２１の撓み部２２を収納する収納部材４１は、金属や樹脂等の材料で形成され、内部に可撓性線状部材２１の撓み部２２が収納可能な箱部材で構成されている。収納部材４１の相対する一対の側面４１ａ，４１ａには、それぞれ、可撓性線状部材２１が挿通可能な挿通孔４２，４２が形成されている。一方の挿通孔４２からは、可撓性線状部材２１の一端部２１ａが予め所定の長さだけ引き出され、他方の挿通孔４２からは、可撓性線状部材２１の他端部２１ｂが予め所定の長さだけ引き出されている。
【００８９】
更に、このような収納部材４１の挿通孔４２，４２は、摩擦力で撓み部２２を保持する保持部となり、可撓性線状部材２１が圧入され、可撓性線状部材２１に対して所定の摩擦力が作用するように形成されている。これにより、収納部材４１は、所定の力以上で可撓性線状部材２１の一端部２１ａ及び／又は他端部２１ｂが引かれると、内部から撓み部２２の可撓性線状部材２１が引き出される。その一方で、収納部材４１は、一度引き出された可撓性線状部材２１が摩擦力によって挿通孔４２から内部に再度入り込まないように逆動防止が図られ、引き出された撓み部２２の撓み量を変化させずに維持することが出来る。
【００９０】
以上のように、収納部材４１に撓み部２２が収納された入力判別機構４０にあっても、例えば、上沓１１及び／又は下沓１２へ入力があった場合には、その入力に応じて、可撓性線状部材２１の一端部２１ａと他端部２１ｂとが離間する方向に相対移動することで、収納部材４１から可撓性線状部材２１が引き出されて、可撓性線状部材２１の引出量が変化する。従って、入力判別機構４０にあっても、可撓性線状部材２１の引出量の変化を確認することで、どの程度の入力があったかを、事後的に確認することが出来る。
【００９１】
また、入力判別機構４０にあっても、収納部材４１に収納された撓み部２２を有する可撓性線状部材２１を、上沓１１や下沓１２の外周面に固定するだけで、簡単に支承装置１０に取り付けることが出来る。また初期には撓み部２２は収納部材４１に収納されて使用される構成なので、事後に収納部材４１を開蓋することが出来るように構成すれば、再び可撓性線状部材２１を収納して再使用することが可能となる。また、入力判別機構４０は、支承装置１０を下部構造物２と上部構造物４との間に装着した後に、支承装置１０に後付けすることが出来る。更に、入力判別機構４０は、既設の支承装置１０にも後付けすることが出来る。更にまた、入力判別機構４０は、交換作業を簡単に行うことが出来る。
【００９２】
更に、入力判別機構４０にあっても、可撓性線状部材２１の一端部２１ａと他端部２１ｂの収納部材４１からの初期引出量を変えることで、撓み部２２を収納した収納部材４１を中途部２１ｃの任意の位置に配置することが出来る。従って、入力判別機構４０にあっても、可撓性線状部材２１の引出量を容易且つ確実に確認することが出来る。
【００９３】
なお、入力判別機構４０では、収納部材４１を上沓１１又は下沓１２に固定して、可撓性線状部材２１が片側の挿通孔４２だけから引き出されるようにしても良い。
【００９４】
なお、入力判別機構４０では、図１４に示すように、収納部材４１の挿通孔４２に、逆止片４３ａを有する逆動防止部材４３を取り付けるようにしても良い。この逆動防止部材４３は、一度引き出された可撓性線状部材２１が挿通孔４２から内部に再度入り込む方向に移動された場合には、逆止片４３ａが可撓性線状部材２１と係合するが、可撓性線状部材２１が収納部材４１から引き出される方向に移動された場合には、逆止片４３ａが可撓性線状部材２１とは係合しないように形成されている。これにより、入力判別機構４０では、逆動防止部材４３によって、より確実に、一度引き出された撓み部２２の撓み量を変化させずに維持することが出来る。
【００９５】
また、入力判別機構４０では、図１５に示すように、収納部材４１の挿通孔４２の周囲に、外側に折り曲げられた折曲部４２ａを設けるようにしても良い。この折曲部４２ａは、一度引き出された可撓性線状部材２１が挿通孔４２から内部に再度入り込む方向に移動された場合には、可撓性線状部材２１と係合するが、可撓性線状部材２１が収納部材４１から引き出される方向に移動された場合には、可撓性線状部材２１とは係合しないように形成されている。これにより、入力判別機構４０では、折曲部４２ａによって、より確実に、一度引き出された撓み部２２の撓み量を変化させずに維持することが出来る。
【００９６】
また、入力判別機構４０にあっても、入力判別機構２０，３０と同様に、可撓性線状部材２１の中途部２１ｃの収納部材４１の近傍に、初期位置を示す初期位置マークを設けるようにしても良い。また、入力判別機構４０にあっても、入力判別機構２０，３０と同様に、可撓性線状部材２１の外表面の全面又は撓み部２２に対応する部分に、マークを設けるようにしても良い。更に、入力判別機構４０にあっても、入力判別機構２０，３０と同様に、可撓性線状部材２１の外表面の全面又は撓み部２２に対応する部分を、色分けするようにしても良い。
【００９７】
また、入力判別機構４０にあっても、入力判別機構３０と同様に、支承装置１０の交換が必要となる程度、上沓１１と下沓１２とが相対的に変位した場合に、撓み部２２の撓み量がなくなり、直ちに支承装置１０の交換が必要となる程度、上沓１１と下沓１２とが相対的に変位した場合に、可撓性線状部材２１が切断するように、撓み部２２の撓み量と可撓性線状部材２１の全長と可撓性線状部材２１の強度とを設定するようにしても良い。
【００９８】
また、入力判別機構４０にあっても、入力判別機構２０，３０と同様に、第一係止部材２４と第二係止部材２５との間に、撓み部２２の撓み量が異なる複数本の可撓性線状部材２１が結束されるようにしても良い。更に、入力判別機構４０にあっても、入力判別機構２０，３０と同様に、可撓性線状部材２１が支承装置１０に複数個取り付けられるようにしても良い。
【００９９】
［６．入力判別機構の変形例３］
次に、図５乃至図１５に示した入力判別機構２０，３０，４０を、支承装置１０に直接的に取り付けるのではなく、支承装置１０の近傍の上部構造物４と下部構造物２との間に取り付ける例を、図１６を参照して説明する。ここでは、入力判別機構２０を、支承装置１０の近傍の上部構造物４と下部構造物２との間に取り付ける場合を例に説明するが、これに限定されるものではなく、入力判別機構３０、４０を、支承装置１０の近傍の上部構造物４と下部構造物２との間に取り付けるようにしても良い。
【０１００】
具体的に、図１６に示すように、入力判別機構２０は、可撓性線状部材２１の一端部２１ａを結束した第一係止部材２４が、第一固定部２４ａに第一固定ネジ２４ｂが挿通されて、上部構造物４に取り付けるための第一取付具５０の第一ネジ孔５０ａに螺合される。第一取付具５０は、全体が略Ｌ字状をなし、一片に第一ネジ孔５０ａが形成されており、他片に第一挿通孔５０ｂが形成されている。可撓性線状部材２１の他端部２１ｂを結束した第二係止部材２５が、第二固定部２５ａに第二固定ネジ２５ｂが挿通されて、下部構造物２に取り付けるための第二取付具５１の第二ネジ孔５１ａに螺合される。第二取付具５１は、全体が略Ｌ字状をなし、一片に第二ネジ孔５１ａが形成されており、他片に第二挿通孔５１ｂが形成されている。
【０１０１】
第一取付具５０は、ネジ等の第一固定部材５２が第一挿通孔５０ｂ、上部プレート１６に形成された第一貫通孔５３の順に挿通され、上部構造物４に形成された第一ネジ孔５４に螺合されて固定される。第二取付具５１は、ネジ等の第二固定部材５５が第二挿通孔５１ｂ、下部プレート１７に形成された第二貫通孔５６の順に挿通され、上部構造物４に形成された第一ネジ孔５７に螺合されて固定される。
【０１０２】
以上のような入力判別機構２０によれば、支承装置１０の近傍に、上部構造物４と下部構造物２との間に後付けで取り付けることが出来、例えば、既設の支承装置１０の近傍にも容易に取り付けることが出来る。また、可撓性線状部材２１の引出量及び／又は撓み部２２の撓み量の変化を確認することで、直接的には、上部構造物４と下部構造物２との相対的な変位量を判別し、間接的に、支承装置１０の上沓１１と下沓１２との相対的な変位量を判別することが出来る。従って、入力判別機構２０によれば、支承装置１０にどの程度の入力があったのかを、事後的に確認することが出来る。
【０１０３】
［７．入力判別機構の参考例１］
次に、図５乃至図１５に示した入力判別機構２０，３０，４０の参考となる参考例１の入力判別機構１００について説明する。図１７及び図１８に示すように、参考例１の入力判別機構１００は、上述した入力判別機構２０，３０，４０と同様に、支承装置１０に取り付けられている。具体的に、この入力判別機構１００は、一端部１０１ａが上沓１１に係止された可撓性線状部材１０１と、下沓１２に係止され、可撓性線状部材１０１の他端部１０１ｂ側を内部に収納する収納部材１０２とを有する。
【０１０４】
この入力判別機構１００の可撓性線状部材１０１は、繊維、鋼材、樹脂等の可撓性を有する線材で形成されており、例えば、ワイヤ、紐、糸、ロープ、ベルト等である。なお、可撓性線状部材１０１は、非伸縮性であることが好ましい。更に、可撓性線状部材１０１は、一端部１０１ａが環状の第一固定部１０３ａを有する第一係止部材１０３によって結束されている。可撓性線状部材１０１の一端部１０１ａを結束した第一係止部材１０３は、第一固定部１０３ａに第一固定ネジ１０３ｂが挿通されて、上沓１１の外周面の第一ネジ孔１０３ｃに固定されている。可撓性線状部材１０１の他端部１０１ｂは、後述する収納部材１０２の内部に収納されている。
【０１０５】
可撓性線状部材１０１の他端部１０１ｂを収納する収納部材１０２は、金属や樹脂等の材料で形成されており、内部に可撓性線状部材１０１の他端部１０１ｂが収納可能な平面視略円形状や平面視略矩形状の箱部材で構成されている。このような収納部材１０２の内部には、可撓性線状部材１０１の他端部１０１ｂが巻回又は折り畳まれて収納されている。
【０１０６】
更に、収納部材１０２の側面１０２ａには、貫通孔１０４ａを有する取付部１０４が形成されている。収納部材１０２は、この貫通孔１０４ａに固定ネジ（不図示）が挿通されて、下沓１２の外周面に一片が固定された全体が略Ｌ字をなす取付具１０５の他片に固定されることで、下沓１２の外周面に固定されている。なお、収納部材１０２は、直接的に下沓１２の外周面に固定されるようにしても良く、直接的に下沓１２の上面に固定されるようにしても良い。
【０１０７】
更に、収納部材１０２の上面１０２ｂには、可撓性線状部材１０１が挿通可能な挿通孔１０６が形成されている。この挿通孔１０６からは、収納部材１０２の内部に収納された可撓性線状部材１０１の一端部１０１ａ側が予め所定の長さだけ引き出されている。更に、挿通孔１０６は、可撓性線状部材１０１に対して所定の摩擦力が作用するように形成されている。従って、収納部材１０２は、所定の力以上で可撓性線状部材１０１の一端部１０１ａを引くことで、内部から可撓性線状部材１０１を引き出すことが出来る。その一方で、収納部材１０２は、引き出された可撓性線状部材１０１が摩擦力によって挿通孔１０６から内部に再度入り込まないように逆動防止が図られ、一度引き出された可撓性線状部材１０１の引出量を変化させずに維持することが出来る。
【０１０８】
以上のような構成を有する入力判別機構１００では、例えば、上沓１１及び／又は下沓１２へ入力があった場合には、その入力に応じて、可撓性線状部材１０１が収納部材１０２の内部から引き出されて、可撓性線状部材１０１の引出量が変化する。従って、入力判別機構１００では、可撓性線状部材１０１の引出量の変化を確認することで、どの程度の入力があったかを、事後的に確認することが出来る。
【０１０９】
また、入力判別機構１００は、可撓性線状部材１０１の一端部１０１ａを上沓１１の外周面に固定し、可撓性線状部材１０１の他端部１０１ｂを収納した収納部材１０２を下沓１２の外周面又は上面に固定するだけで、上部構造物４と下部構造物２の間に設置されている支承装置１０に簡単に取り付けることが出来る。また、入力判別機構１００は、支承装置１０を下部構造物２と上部構造物４との間に設置した後に、後付けすることが出来る。更に、入力判別機構１００は、既設の支承装置１０にも後付けすることが出来る。更にまた、入力判別機構１００は、交換作業を簡単に行うことが出来る。
【０１１０】
なお、入力判別機構１００は、収納部材１０２の上面１０２ｂに可撓性線状部材１０１が挿通可能な挿通孔１０６が形成されることに限定されるものではなく。収納部材１０２の側面１０２ａに挿通孔１０６が形成されるようにしても良い。
【０１１１】
また、入力判別機構１００は、可撓性線状部材１０１の中途部１０１ｃの収納部材１０２の挿通孔１０６の近傍に、初期位置を示す初期位置マークを設けるようにしても良い。これにより、入力判別機構１００は、初期位置マークを用いて、可撓性線状部材１０１の引出量を容易に確認することが出来、どの程度の入力があったのかを、事後的に容易に確認することが出来る。
【０１１２】
また、入力判別機構１００は、可撓性線状部材１０１の外表面の全面又は収納部材１０２に収納された部分に、等間隔にマークを設けて目盛部を設けるようにしても良い。これにより、入力判別機構１００は、目盛部を用いて、可撓性線状部材１０１の引出量を容易に確認することが出来、どの程度の入力があったかを、事後的に容易に確認することが出来る。
【０１１３】
更に、入力判別機構１００は、可撓性線状部材１０１の外表面の全面又は収納部材１０２に収納された部分を、等間隔に色分けするようにしても良い。これにより、入力判別機構１００は、色分けした部分を用いて、可撓性線状部材１０１の引出量を容易に確認することが出来、どの程度の入力があったかを、事後的に容易に確認することが出来る。
【０１１４】
また、入力判別機構１００は、可撓性線状部材１０１の収納部材１０２に収納された部分の外表面に、所定の間隔で複数個のマークを設けるようにしても良い。これにより、入力判別機構１００は、収納部材１０２から何個目のマークまで引き出されたのかを確認することで、どの程度の入力があったのかを、事後的に確認することが出来る。
【０１１５】
例えば、入力判別機構１００は、可撓性線状部材１０１の収納部材１０２に収納された部分の外表面に、二個のマークを設けることで、三段階の入力レベルを判別することが出来る。この場合、より好ましくは、第一マークを、これ以上上沓１１と下沓１２とが相対的に変位した場合に支承装置１０の交換が必要となる程度の上沓１１と下沓１２との相対的変位量に対応する位置に形成する。更に、第二マークを、これ以上上沓１１と下沓１２とが相対的に変位した場合に直ちに支承装置の交換が必要となる程度の上沓１１と下沓１２との相対的変位量に対応する位置に形成する。
【０１１６】
これにより、入力判別機構１００は、例えば、収納部材１０２から第一マークが引き出されていない場合には、支承装置１０の交換は不要であるレベル（レベル１）と判別することが出来る。また、入力判別機構１００は、収納部材１０２から第一マークが引き出され、第二マークが引き出されていない場合には、支承装置の交換は必要であるが緊急を要しないレベル（レベル２）と判別することが出来る。更に、入力判別機構１００は、収納部材１０２から第一マーク及び第二マークが引き出されている場合には、支承装置１０の交換が直ちに必要であるレベル（レベル３）と判別することが出来る。
【０１１７】
従って、入力判別機構１００は、収納部材１０２から何個目のマークまで引き出されたのかを確認することで、どの程度の入力（入力レベル）があったのかを、事後的に確認することが出来る。更に、入力判別機構１００は、どの支承装置１０を優先的に交換する必要があるのかを、容易に判断することが出来る。
【０１１８】
なお、可撓性線状部材１０１に設けるマークの数は、二個に限定されるものではなく、第一マーク又は第二マークの何れか一個でも良く、第一マーク及び第二マークに初期位置マークを含めた三個でも良く、レベル１〜レベル３をより細かくレベル分けするために、三個以上であっても良い。可撓性線状部材１０１に設けるマークの数が多いほど、入力レベルをより細かく判別することが出来る。
【０１１９】
また、入力判別機構１００は、可撓性線状部材１０１の収納部材１０２に収納された部分の外表面を、所定の間隔で色分けするようにしても良い。これにより、入力判別機構１００は、収納部材１０２から何色の部分までが引き出されたのかを確認することで、どの程度の入力があったのかを、事後的に確認することが出来る。
【０１２０】
例えば、入力判別機構１００は、可撓性線状部材１０１の収納部材１０２に収納された部分の外表面を三色に色分けすることで、三段階の入力レベルを判別することが出来る。この場合、より好ましくは、可撓性線状部材１０１の収納部材１０２に収納された部分の外表面の、これ以上上沓１１と下沓１２とが相対的に変位した場合に支承装置１０の交換が必要となる程度の上沓１１と下沓１２との相対的変位量に対応する位置までを、第一色にする。更に、この位置から、これ以上上沓１１と下沓１２とが相対的に変位した場合に直ちに支承装置１０の交換が必要となる程度の上沓１１と下沓１２との相対的変位量に対応する位置までを、第二色にし、これ以降の部分を第三色にする。例えば、第一色は、青色であり、第二色は、黄色であり、第三色は、赤である。
【０１２１】
これにより、入力判別機構１００は、例えば、第一色の部分しか引き出されていない場合には、支承装置１０の交換は不要であるレベル（レベル１）と判別することが出来る。また、入力判別機構１００は、第二色の部分まで引き出された場合には、支承装置１０の交換は必要であるが緊急を要しないレベル（レベル２）と判別することが出来る。更に、入力判別機構１００は、第三色の部分まで引き出された場合には、支承装置１０の交換が直ちに必要であるレベル（レベル３）と判別することが出来る。
【０１２２】
従って、入力判別機構１００は、収納部材１０２から何色まで引き出されたのかを確認することで、どの程度の入力（入力レベル）があったのかを、事後的に確認することが出来る。更に、入力判別機構１００は、どの支承装置１０を優先的に交換する必要があるのかを、容易に判断することが出来る。
【０１２３】
なお、可撓性線状部材１０１を色分けする色の数は、三色に限定されるものではなく、二色でも良く、レベル１〜レベル３をより細かくレベル分けするために、四色以上であっても良い。可撓性線状部材１０１を色分けする色の数が多いほど、入力レベルをより細かく判別することが出来る。更に、可撓性線状部材１０１を色分けする色は、上述した色に限定されるものではなく、他の色であっても良く、その内の一色を可撓性線状部材１０１自体の色としても良い。
【０１２４】
また、入力判別機構１００は、可撓性線状部材１０１が支承装置１０に一個取り付けられることに限定されるものではなく、複数個取り付けられるようにしても良い。
【０１２５】
［８．入力判別機構の参考例１の変形例］
次に、図１７及ぶ図１８に示した入力判別機構１００を、支承装置１０に直接的に取り付けるのではなく、支承装置１０の近傍の上部構造物４と下部構造物２との間に取り付ける例を、図１９を参照して説明する。
【０１２６】
具体的に、図１９に示すように、入力判別機構１００は、可撓性線状部材１０１の一端部１０１ａを結束した第一係止部材１０３が、第一固定部１０３ａに第一固定ネジ１０３ｂが挿通されて、上部構造物４に取り付けるための第一取付具１１０の第一ネジ孔１１０ａに螺合される。第一取付具１１０は、全体が略Ｌ字状をなし、一片に第一ネジ孔１１０ａが形成され、他片に第一挿通孔１１０ｂが形成されている。第一取付具１１０は、ネジ等の第一固定部材１１１が第一挿通孔１１０ｂ、上部プレート１６に形成された第一貫通孔１１２の順に挿通され、上部構造物４に形成された第一ネジ孔１１３に螺合されて固定されている。
【０１２７】
また、収納部材１０２は、貫通孔１０４ａに固定ネジ（不図示）を挿通して、下部構造物２の上面に直接的に固定されている。勿論、収納部材１０２の下部構造物２に対する固定方法は、これに限定されるものではなく、例えば、永久磁石を用いる等、従来公知の手段によって固定するようにしてもよい。
【０１２８】
以上のような入力判別機構１００によれば、支承装置１０の近傍に、上部構造物４と下部構造物２との間に後付けで取り付けることが出来、例えば、既設の支承装置１０の近傍にも容易に取り付けることが出来る。また、可撓性線状部材１０１の引出量の変化を確認することで、直接的には、上部構造物４と下部構造物２との相対的な変位量を判別し、間接的に、支承装置１０の上沓１１と下沓１２との相対的な変位量を判別することが出来る。従って、入力判別機構１００によれば、支承装置１０にどの程度の入力があったのかを、事後的に確認することが出来る。
【０１２９】
［９．入力判別機構の参考例２］
次に、参考例２の入力判別機構１２０について説明する。図２０及び図２１に示すように、参考例２の入力判別機構１２０は、上述した入力判別機構２０，３０，４０と同様に、支承装置１０に取り付けられている。具体的に、入力判別機構１２０は、一端部１２１ａが上沓１１に係止された可撓性線状部材１２１と、下沓１２に係止され、可撓性線状部材１２１の他端部１２１ｂが挿通されて可撓性線状部材１２１の中途部１２１ｃを保持する保持部材１２２とを有する。
【０１３０】
この入力判別機構１２０の可撓性線状部材１２１は、繊維、鋼材、樹脂等の可撓性を有する線材で形成されており、例えば、ワイヤ、紐、糸、ロープ、ベルト等である。なお、可撓性線状部材１２１は、非伸縮性であることが好ましい。更に、可撓性線状部材１２１は、一端部１２１ａが環状の第一固定部１２３ａを有する第一係止部材１２３によって結束されている。この第一係止部材１２３は、第一固定部１２３ａに第一固定ネジ１２３ｂが挿通されて、上沓１１の外周面に形成された第一ネジ孔１２３ｃに固定されている。
【０１３１】
可撓性線状部材１２１の他端部１２１ｂ側が挿通されて中途部１２１ｃを保持する保持部材１２２は、金属や樹脂等の材料で形成された平面視略矩形状の板部材で構成されており、一部が一体化された第一分割体１２４と第二分割体１２５とを有している。第一分割体１２４及び第二分割体１２５は、一部が一体化されているので、この一体化部がヒンジとして機能し、開閉自在に設けられている。
【０１３２】
更に、第一分割体１２４及び第二分割体１２５の当接面１２４ａ，１２５ａには、係合部１２６が形成されている。具体的には、当接面１２４ａ，１２５ａの一方には、係合凸部１２６ａが形成され、他方には、この係合凸部１２６ａが係合される係合凹部１２６ｂが形成されている。従って、第一分割体１２４及び第二分割体１２５は、係合凸部１２６ａを係合凹部１２６ｂに係合させることで、閉じた状態を維持することが出来ると共に、係合凸部１２６ａと係合凹部１２６ｂとの係合状態を解除することで、容易に開けることが出来る。
【０１３３】
更に、第一分割体１２４及び第二分割体１２５の側面１２４ｂ，１２５ｂには、貫通孔１２７ａを有する取付部１２７が形成されている。これにより、保持部材１２２は、この貫通孔１２７ａに固定ネジ（不図示）が挿通されて、下沓１２の外周面に一片が固定された全体が略Ｌ字をなす取付具１２８の他片に固定されることで、下沓１２の外周面に固定されている。なお、保持部材１２２は、直接的に下沓１２の外周面に固定されるようにしても良く、全体が略コ字状や略Ｌ字状の取付具等を介して下沓１２の上面に固定されるようにしても良く、直接的に下沓１２の上面に固定されるようにしても良い。更に、保持部材１２２は、取付部２７を設けずに、両面テープ等の接着部材や溶接等によって、直接的に下沓１２の外周面又は上面に固定されるようにしても良い。
【０１３４】
更に、第一分割体１２４及び第二分割体１２５の当接面１２４ａ，１２５ａには、それぞれ、略半円形状の貫通孔１２９ａ，１２９ａが形成されており、第一分割体１２４及び第二分割体１２５が閉じた状態の際に、これらの貫通孔１２９ａ，１２９ａによって、可撓性線状部材１２１が挿通可能で、摩擦力で可撓性線状部材１２１を保持する保持部となる略円形状の挿通孔１２９が形成されている。この挿通孔１２９には、可撓性線状部材１２１の他端部１２１ｂが挿通されて、可撓性線状部材１２１の中途部１２１ｃが保持されている。更に、挿通孔１２９は、可撓性線状部材１２１に対して所定の摩擦力が作用するように形成されている。従って、保持部材１２２は、所定の力以上で可撓性線状部材１２１の一端部１２１ａが引かれると、可撓性線状部材１２１が一端部１２１ａ側へ引き出される。その一方で、保持部材１２２は、引き出された可撓性線状部材１２１が摩擦力によって挿通孔１２９の内部に再度入り込まないように逆動防止が図られており、一度引き出された可撓性線状部材１２１の引出量を変化させずに維持することが出来る。
【０１３５】
以上のような構成を有する入力判別機構１２０では、例えば、上沓１１及び／又は下沓１２へ入力があった場合には、その入力に応じて、可撓性線状部材１２１が保持部材１２２から一端部１２１ａ側へ引き出されて、可撓性線状部材１２１の引出量が変化する。従って、入力判別機構１２０では、可撓性線状部材１２１の引出量の変化を確認することで、どの程度の入力があったかを、事後的に確認することが出来る。
【０１３６】
また、入力判別機構１２０は、可撓性線状部材１２１の一端部１２１ａを上沓１１の外周面に固定し、可撓性線状部材１２１の他端部１２１ｂが挿通されて可撓性線状部材１２１の中途部１２１ｃを保持する保持部材１２２を下沓１２の外周面又は上面に固定するだけで、上部構造物４と下部構造物２の間に設置されている支承装置１０に簡単に取り付けることが出来る。また、入力判別機構１２０は、支承装置１０を上部構造物４と下部構造物２との間に設置した後に、支承装置１０に後付けすることが出来る。更に、入力判別機構１２０は、既設の支承装置１０にも後付けすることが出来る。更にまた、入力判別機構１２０は、交換作業を簡単に行うことが出来る。
【０１３７】
更に、入力判別機構１２０は、第一分割体１２４及び第二分割体１２５の一部が一体化され、この一体化部がヒンジとして機能して開閉自在に設けられているので、可撓性線状部材１２１を挿通孔１２９に挿通させる際には、第一分割体１２４と第二分割体１２５とを開けて、この第一分割体１２４と第二分割体１２５との間の開口部から、可撓性線状部材１２１を例えば第二分割体１２５の貫通孔１２９ａに配置して、第一分割体１２４と第二分割体１２５とを閉じて、係合凸部１２６ａを係合凹部１２６ｂに係合させることで、可撓性線状部材１２１を挿通孔１２９に挿通させることが出来る。従って、入力判別機構１２０では、可撓性線状部材１２１が細く、挿通孔１２９の径が小さくても、容易に可撓性線状部材１２１を挿通孔１２９に挿通するのと同様の状態を作出することが出来る。
【０１３８】
なお、入力判別機構１２０は、保持部材１２２が全体として正面視略矩形状に形成されることに限定されるものではなく、全体として正面視略円形状に形成され、第一分割体１２４及び第二分割体１２５がそれぞれ正面視略半円形状に形成されるようにしても良く、形状等は特に限定されない。
【０１３９】
また、入力判別機構１２０は、第一分割体１２４及び第二分割体１２５を別体に設けて、別体に設けた第一分割体１２４及び第二分割体１２５をヒンジによって回動自在に連結して、第一分割体１２４及び第二分割体１２５を開閉自在に設けるようにしても良い。
【０１４０】
また、入力判別機構１２０は、第一分割体１２４及び第二分割体１２５を別体に設けて、一方に貫通孔を形成し、他方にネジ孔等の嵌合孔を形成して、別体に設けた第一分割体１２４及び第二分割体１２５をネジ等の固定具で結合するようにしても良い。更に、入力判別機構１２０は、両方に貫通孔を形成して、別体に設けた第一分割体１２４及び第二分割体１２５を、ボルト及びナット等で締結するようにしても良い。更にまた、入力判別機構１２０は、第一分割体１２４及び第二分割体１２５の当接面１２４ａ，１２５ａに、複数個の係合部１２６を形成し、これらの係合部１２６だけで、別体に設けた第一分割体１２４及び第二分割体１２５を締結するようにしても良い。
【０１４１】
このような入力判別機構１２０にあっても、可撓性線状部材１２１を挿通孔１２９に挿通させる際には、第一分割体１２４と第二分割体１２５とを分離して、可撓性線状部材１２１を何れかの分割体の貫通孔１２９ａに配置して、第一分割体１２４と第二分割体１２５とを、ネジやボルト及びナットや係合部１２６等によって締結することで、可撓性線状部材１２１を挿通孔１２９に容易に挿通することが出来る。
【０１４２】
また、入力判別機構１２０は、第一分割体１２４及び第二分割体１２５の当接面１２４ａ，１２５ａに、それぞれ半円形状の貫通孔１２９ａ，１２９ａを形成することに限定されるものではなく、何れか一方だけに半円形状の貫通孔１２９ａを形成し、それを挿通孔１２９とするようにしても良い。
【０１４３】
また、入力判別機構１２０は、可撓性線状部材１２１の中途部１２１ｃの保持部材１２２の挿通孔１２９の近傍に、初期位置を示す初期位置マークを設けるようにしても良い。これにより、入力判別機構１２０は、初期位置マークを用いて、可撓性線状部材１２１の引出量を容易に確認することが出来、どの程度の入力があったのかを事後的に容易に確認することが出来る。
【０１４４】
また、入力判別機構１２０は、可撓性線状部材１２１の外表面の全面又は保持部材１２２よりも他端部１２１ｂ側の部分に、等間隔にマークを設けて目盛部を形成するようにしても良い。これにより、入力判別機構１２０は、目盛部を用いて、可撓性線状部材１２１の引出量を容易に確認することが出来、どの程度の入力があったかを事後的に容易に確認することが出来る。
【０１４５】
更に、入力判別機構１２０は、可撓性線状部材１２１の外表面の全面又は保持部材１２２よりも他端部１２１ｂ側の部分を、等間隔に色分けするようにしても良い。これにより、入力判別機構１２０は、色分けした部分を用いて、可撓性線状部材１２１の引出量を容易に確認することが出来、どの程度の入力があったかを事後的に容易に確認することが出来る。
【０１４６】
また、入力判別機構１２０は、可撓性線状部材１２１の保持部材１２２よりも他端部１２１ｂ側の外表面に、所定の間隔で複数個のマークを設けるようにしても良い。これにより、入力判別機構１２０は、保持部材１２２から何個目のマークまで引き出されたのかを確認することで、どの程度の入力があったのかを、事後的に確認することが出来る。
【０１４７】
例えば、入力判別機構１２０は、可撓性線状部材１２１の保持部材１２２よりも他端部１２１ｂ側の外表面に、二個のマークを設けることで、三段階の入力レベルを判別することが出来る。この場合、より好ましくは、第一マークを、これ以上上沓１１と下沓１２とが相対的に変位した場合に支承装置１０の交換が必要となる程度の上沓１１と下沓１２との相対的変位量に対応する位置に形成する。更に、第二マークを、これ以上上沓１１と下沓１２とが相対的に変位した場合に直ちに支承装置１０の交換が必要となる程度の上沓１１と下沓１２との相対的変位量に対応する位置に形成する。
【０１４８】
これにより、入力判別機構１２０は、例えば、保持部材１２２から第一マークが引き出されていない場合には、支承装置１０の交換は不要であるレベル（レベル１）と判別することが出来る。また、入力判別機構１２０は、保持部材１２２から第一マークが引き出され、第二マークが引き出されていない場合には、支承装置１０の交換は必要であるが緊急を要しないレベル（レベル２）と判別することが出来る。更に、入力判別機構１２０は、保持部材１２２から第一マーク及び第二マークが引き出されている場合には、支承装置１０の交換が直ちに必要であるレベル（レベル３）と判別することが出来る。
【０１４９】
従って、入力判別機構１２０は、保持部材１２２から何個目のマークまで引き出されたのかを確認することで、どの程度の入力（入力レベル）があったのかを、事後的に確認することが出来る。更に、入力判別機構１２０は、どの支承装置１０を優先的に交換する必要があるのかを容易に判断することが出来る。
【０１５０】
なお、可撓性線状部材１２１に設けるマークの数は、二個に限定されるものではなく、第一マーク又は第二マークの何れか一個でも良く、第一マーク及び第二マークに初期位置マークを含めた三個でも良く、レベル１〜レベル３をより細かくレベル分けするために、三個以上であっても良い。可撓性線状部材１２１に設けるマークの数が多いほど、入力レベルをより細かく判別することが出来る。
【０１５１】
また、入力判別機構１２０は、可撓性線状部材１２１の保持部材１２２よりも他端部１２１ｂ側の外表面を、所定の間隔で色分けするようにしても良い。これにより、入力判別機構１２０は、保持部材１２２から何色の部分までが引き出されたのかを確認することで、どの程度の入力があったのかを、事後的に確認することが出来る。
【０１５２】
例えば、入力判別機構１２０は、可撓性線状部材１２１の保持部材１２２よりも他端部１２１ｂ側の外表面を、三色に色分けすることで、三段階の入力レベルを判別することが出来る。この場合、より好ましくは、可撓性線状部材１２１の保持部材１２２よりも他端部１２１ｂ側の外表面の、これ以上上沓１１と下沓１２とが相対的に変位した場合に支承装置の交換が必要となる程度の上沓１１と下沓１２との相対的変位量に対応する位置までを、第一色にする。更に、この位置から、これ以上上沓１１と下沓１２とが相対的に変位した場合に直ちに支承装置の交換が必要となる程度の上沓１１と下沓１２との相対的変位量に対応する位置までを、第二色にし、これ以降の部分を第三色にする。例えば、第一色は、青色であり、第二色は、黄色であり、第三色は、赤である。
【０１５３】
これにより、入力判別機構１２０は、例えば、保持部材１２２から第一色の部分しか引き出されていない場合には、支承装置１０の交換は不要であるレベル（レベル１）と判別することが出来る。また、入力判別機構１２０は、第二色の部分まで引き出されている場合には、支承装置１０の交換は必要であるが緊急を要しないレベル（レベル２）と判別することが出来る。更に、入力判別機構１２０は、第三色の部分まで引き出されている場合には、支承装置１０の交換が直ちに必要であるレベル（レベル３）と判別することが出来る。
【０１５４】
従って、入力判別機構１２０は、保持部材１２２から何色まで引き出されたのかを確認することで、どの程度の入力（入力レベル）があったのかを、事後的に確認することが出来る。更に、入力判別機構１２０は、どの支承装置１０を優先的に交換する必要があるのかを容易に判断することが出来る。
【０１５５】
なお、可撓性線状部材１２１を色分けする色の数は、三色に限定されるものではなく、可撓性線状部材１２１の元の色と黄色又は赤色の何れか二色でも良く、レベル１〜レベル３をより細かくレベル分けするために、四色以上であっても良い。可撓性線状部材１２１を色分けする色の数が多いほど、入力レベルをより細かく判別することが出来る。更に、可撓性線状部材１２１を色分けする色は、上述した色に限定されるものではなく、他の色であっても良く、その内の一色を可撓性線状部材２１自体の色としても良い。
【０１５６】
また、入力判別機構１２０は、可撓性線状部材１２１が支承装置１０に一個取り付けられることに限定されるものではなく、複数個取り付けられるようにしても良い。
【０１５７】
［１０．入力判別機構の参考例２の変形例］
次に、図２０及び図２１に示した入力判別機構１２０を、支承装置１０に直接的に取り付けるのではなく、支承装置１０の近傍の上部構造物４と下部構造物２との間に取り付ける例を、図２２を参照して説明する。
【０１５８】
具体的に、図２２に示すように、入力判別機構１２０は、可撓性線状部材１２１の一端部１２１ａを結束した第一係止部材１２３が、第一固定部１２３ａに第一固定ネジ１２３ｂが挿通されて、上部構造物４に取り付けるための第一取付具１３０の第一ネジ孔１３０ａに螺合される。第一取付具１３０は、全体が略Ｌ字状をなし、一片に第一ネジ孔１３０ａが形成され、他片に第一挿通孔１３０ｂが形成されている。第一取付具１３０は、ネジ等の第一固定部材１３１が第一挿通孔１３０ｂ、上部プレート１６に形成された第一貫通孔１３２の順に挿通され、上部構造物４に形成された第一ネジ孔１３３に螺合されて固定されている。
【０１５９】
また、保持部材１２２は、貫通孔１２７ａに第一固定ネジ（不図示）が挿通されて、下部プレート１７の上面に配置されて側面部１４０ａが固定ネジ１４１によって下部構造物２に固定された全体が略コ字状の取付具１４０の上面部１４０ｂに螺合されることで、下部構造物２の上面に固定されている。
【０１６０】
以上のような入力判別機構１２０によれば、支承装置１０の近傍に、上部構造物４と下部構造物２との間に後付けで取り付けることが出来、例えば、既設の支承装置１０の近傍にも容易に取り付けることが出来る。また、可撓性線状部材１２１の引出量の変化を確認することで、直接的には、上部構造物４と下部構造物２との相対的な変位量を判別し、間接的に、支承装置１０の上沓１１と下沓１２との相対的な変位量を判別することが出来る。従って、入力判別機構１２０によれば、支承装置１０にどの程度の入力があったのかを、事後的に確認することが出来る。
【０１６１】
［１１．入力判別機構の参考例３］
次に、参考例３の入力判別機構１５０について説明する。図２３及び図２４に示すように、参考例３の入力判別機構１５０は、上述した入力判別機構２０，３０，４０と同様に、支承装置１０に取り付けられている。具体的に、入力判別機構１５０は、一端部１５１ａが上沓１１に係止された可撓性線状部材１５１と、下沓１２に係止され、可撓性線状部材１５１の他端部１５１ｂが一端部１５２ａ側から挿入されて内部に収納された収納部材１５２とを有する。
【０１６２】
この入力判別機構１５０の可撓性線状部材１５１は、繊維、鋼材、樹脂等の可撓性を有する線材で形成されており、例えば、ワイヤ、紐、糸、ロープ、ベルト等である。なお、可撓性線状部材１５１は、非伸縮性であることが好ましい。更に、可撓性線状部材１５１は、一端部１５１ａが環状の第一固定部１５３ａを有する第一係止部材１５３によって結束されている。この第一係止部材１５３は、第一固定部１５３ａに第一固定ネジ１５３ｂが挿通されて、上沓１１の外周面に形成された第一ネジ孔１５３ｃに固定されている。可撓性線状部材１５１の他端部１５１ｂは、収納部材１５２の内部に収納されている。
【０１６３】
更に、可撓性線状部材１５１の他端部１５１ｂには、変位指示部１５４が形成されている。この変位指示部１５４は、可撓性線状部材１５１の他の部分よりも膨出されており、収納部材１５２の内部に収納された際に収納部材１５２の内面に圧接され、収納部材１５２に対して所定の摩擦力が作用するように形成されている。従って、可撓性線状部材１５１は、所定の力以上で一端部１５１ａが引かれることで、収納部材１５２の内部から引き出すことが出来る。その一方で、可撓性線状部材１５１は、引き出された部分が摩擦力によって収納部材１５２の内部に再度入り込まないように逆動防止が図られ、一度引き出された引出量を変化させずに維持することが出来る。
【０１６４】
可撓性線状部材１５１の他端部１５１ｂを収納する収納部材１５２は、内部に可撓性線状部材１５１の他端部１５１ｂが収納可能な円筒部材で構成されている。収納部材１５２は、金属や樹脂等の、内部に収納された可撓性線状部材１５１が視認可能なように、透明又は半透明等の材料で形成されることが好ましい。なお、収納部材１５２は、可撓性を有していることが好ましい。更に、収納部材１５２の外周面には、長手方向に目盛部１５５を設けることが可能である。これにより、収納部材１５２は、目盛部１５５を用いて、内部に収納された可撓性線状部材１５１の変位指示部１５４の位置の変化量を確認することで、可撓性線状部材１５１の引出量を確認することが出来る。即ち、変位指示部１５４は、可撓性線状部材１５１の引出量の変化を表示する。
【０１６５】
更に、収納部材１５２の他端部１５２ｂは、環状の第二固定部１５６ａを有する第二係止部材１５６によって結束されている。この第二係止部材１５６は、第二固定部１５６ａに第二固定ネジ１５６ｂが挿通されて、下沓１２の外周面に形成された第二ネジ孔１５６ｃに固定されている。
【０１６６】
以上のような構成を有する入力判別機構１５０では、例えば、上沓１１及び／又は下沓１２へ入力があった場合には、その入力に応じて、可撓性線状部材１５１の一端部１５１ａが収納部材１５２の内部から引き出されて、可撓性線状部材１５１の変位指示部１５４の位置が変化する。そこで、入力判別機構１５０では、可撓性線状部材１５１の変位指示部１５４の位置の変化量を確認することで、どの程度の入力があったかを、事後的に確認することが出来る。
【０１６７】
また、入力判別機構１５０は、可撓性線状部材１５１の一端部１５１ａを上沓１１の外周面に固定し、可撓性線状部材１５１の他端部１５１ｂが収納された収納部材１５２を下沓１２の外周面に固定するだけで、上部構造物４と下部構造物２の間に設置されている支承装置１０に簡単に取り付けることが出来る。また、入力判別機構１５０は、支承装置１０を上部構造物４と下部構造物２との間に設置した後に、後付けすることが出来る。更に、入力判別機構１５０は、既設の支承装置１０にも後付けすることが出来る。更にまた、入力判別機構１５０は、交換作業を簡単に行うことが出来る。
【０１６８】
また、入力判別機構１５０は、変位指示部１５４に代えて、収納部材１５２に上面部を設けて、この上面部に、可撓性線状部材１５１が挿通可能な挿通孔が形成されるようにしても良い。この場合、挿通孔は、その内周面が可撓性線状部材１５１の周面に圧接され、可撓性線状部材１５１に対して所定の摩擦力が作用するように形成される。これにより、収納部材１５２は、所定の力以上で可撓性線状部材１５１の一端部１５１ａを引くことで、内部から可撓性線状部材１５１を引き出すことが出来る。その一方で、収納部材１５２は、引き出された可撓性線状部材１５１が摩擦力によって挿通孔の内部に再度入り込まないように逆動防止が図られ、一度引き出された可撓性線状部材１５１の引出量を変化させずに維持することが出来る。
【０１６９】
また、入力判別機構１５０は、変位指示部１５４が可撓性線状部材１５１の他端部１５１ｂに形成されることに限定されるものではなく、可撓性線状部材１５１の中途部１５１ｃに形成されるようにしても良い。更に、この場合、図２５に示すように、可撓性線状部材１５１の他端部１５１ｂは、収納部材１５２の他端部１５２ｂの近傍に形成された排出孔１５２ｃから収納部材１５２の外部に突出されているようにしても良い。
【０１７０】
また、入力判別機構１５０は、図２５に示すように、収納部材１５２の内面に、凹凸部１５７を形成するようにしても良い。この凹凸部１５７は、垂直面と傾斜面とを有する鋸歯状に形成されている。従って、凹凸部１５７は、可撓性線状部材１５１が収納部材１５２の内部から引き出される方向に移動される際には、垂直面が、変位指示部１５４と係合し、可撓性線状部材１５１が収納部材１５２の内部に入り込む方向に移動される際には、垂直面と係合することなく、傾斜面が、引き出される方向に移動されたときよりも弱く、例えば、クリック感が付加される程度に、変位指示部１５４と係合する。これにより、入力判別機構１５０では、可撓性線状部材１５１を収納部材１５２の内部に容易に挿通させることが出来る。なお、このような入力判別機構１５０では、例えば、上沓１１及び／又は下沓１２へ入力があった場合には、その入力に応じて、変位指示部１５４が凹凸部１５７の垂直面を無理に乗り上げて又は破壊しながら、可撓性線状部材１５１の一端部１５１ａが収納部材１５２の内部から引き出される。
【０１７１】
また、入力判別機構１５０は、可撓性線状部材１５１の中途部１５１ｃの収納部材１５２の一端部１５２ａの近傍に、初期位置を示す初期位置マークを設けるようにしても良い。これにより、入力判別機構１５０は、初期位置マークを用いて、可撓性線状部材１５１の引出量を容易に確認することが出来、どの程度の入力があったのかを事後的に容易に確認することが出来る。
【０１７２】
更に、入力判別機構１５０は、収納部材１５２の外周面に目盛部１５５を設けることに限定されるものではなく、収納部材１５２の外周面の全面又は一部を、等間隔に色分けしておくようにしても良い。これにより、入力判別機構１５０は、色分けした部分を用いて、可撓性線状部材１５１の引出量を容易に確認することが出来、どの程度の入力があったかを事後的に容易に確認することが出来る。
【０１７３】
また、入力判別機構１５０は、収納部材１５２の外周面に等間隔にマークを付した目盛部１５５を設けることに限定されるものではなく、収納部材１５２の外周面に、所定の間隔で複数個のマークを設けるようにしても良い。これにより、入力判別機構１５０は、可撓性線状部材１５１の変位指示部１５４が何個目のマーク又はマーク間に位置されているのかを確認することで、どの程度の入力があったのかを、事後的に確認することが出来る。
【０１７４】
例えば、入力判別機構１５０は、収納部材１５２の外周面に、二個のマークを設けることで、三段階の入力レベルを判別することが出来る。この場合、より好ましくは、第一マークを、これ以上上沓１１と下沓１２とが相対的に変位した場合に支承装置の交換が必要となる程度の上沓１１と下沓１２との相対的変位量に対応する位置に形成する。更に、第二マークを、これ以上上沓１１と下沓１２とが相対的に変位した場合に直ちに支承装置の交換が必要となる程度の上沓１１と下沓１２との相対的変位量に対応する位置に形成する。
【０１７５】
これにより、入力判別機構１５０は、例えば、可撓性線状部材１５１の変位指示部１５４が第一マークよりも収納部材１５２の他端部１５２ｂ側に位置されている場合には、支承装置１０の交換は不要であるレベル（レベル１）と判別することが出来る。また、入力判別機構１５０は、可撓性線状部材１５１の変位指示部１５４が第一マークよりも収納部材１５２の一端部１５２ａ側に位置され、第二マークよりも収納部材１５２の他端部１５２ｂ側に位置されている場合には、支承装置１０の交換は必要であるが緊急を要しないレベル（レベル２）と判別することが出来る。更に、入力判別機構１５０は、可撓性線状部材１５１の変位指示部１５４が第二マークよりも収納部材１５２の一端部１５２ａ側に位置されている場合には、支承装置１０の交換が直ちに必要であるレベル（レベル３）と判別することが出来る。
【０１７６】
従って、入力判別機構１５０は、可撓性線状部材１５１の変位指示部１５４が何個目のマーク又はマーク間に位置されているのかを確認することで、どの程度の入力（入力レベル）があったのかを、事後的に確認することが出来る。更に、入力判別機構１５０は、どの支承装置を優先的に交換する必要があるのかを容易に判断することが出来る。
【０１７７】
なお、収納部材１５２に設けるマークの数は、二個に限定されるものではなく、第一マーク又は第二マークの何れか一個でも良く、第一マーク及び第二マークに初期位置マークを含めた三個でも良く、レベル１〜レベル３をより細かくレベル分けするために、三個以上であっても良い。収納部材１５２に設けるマークの数が多いほど、入力レベルをより細かく判別することが出来る。
【０１７８】
また、入力判別機構１５０は、収納部材１５２の外周面を、所定の間隔で色分けするようにしても良い。これにより、入力判別機構１５０は、可撓性線状部材１５１の変位指示部１５４が何色の位置に配置されているのかを確認することで、どの程度の入力があったのかを、事後的に確認することが出来る。
【０１７９】
例えば、入力判別機構１５０は、収納部材１５２の外周面を、三色に色分けすることで、三段階の入力レベルを判別することが出来る。この場合、より好ましくは、収納部材１５２の外周面の、これ以上上沓１１と下沓１２とが相対的に変位した場合に支承装置の交換が必要となる程度の上沓１１と下沓１２との相対的変位量に対応する位置までを、第一色にする。更に、この位置から、これ以上上沓１１と下沓１２とが相対的に変位した場合に直ちに支承装置の交換が必要となる程度の上沓１１と下沓１２との相対的変位量に対応する位置までを、第二色にし、これ以降の部分を第三色にする。例えば、第一色は、青色であり、第二色は、黄色であり、第三色は、赤である。
【０１８０】
これにより、入力判別機構１５０は、例えば、可撓性線状部材１５１の変位指示部１５４が第一色の部分に位置する場合には、支承装置１０の交換は不要であるレベル（レベル１）と判別することが出来る。また、入力判別機構１５０は、可撓性線状部材１５１の変位指示部１５４が第二色の部分に位置する場合には、支承装置１０の交換は必要であるが緊急を要しないレベル（レベル２）と判別することが出来る。更に、入力判別機構１５０は、可撓性線状部材１５１の変位指示部１５４が第三色の部分に位置する場合には、支承装置１０の交換が直ちに必要であるレベル（レベル３）と判別することが出来る。
【０１８１】
従って、入力判別機構１５０は、可撓性線状部材１５１の変位指示部１５４が何色の部分に位置するかを確認することで、どの程度の入力（入力レベル）があったのかを、事後的に確認することが出来る。更に、入力判別機構１５０は、どの支承装置１０を優先的に交換する必要があるのかを容易に判断することが出来る。
【０１８２】
なお、収納部材１５２を色分けする色の数は、可撓性線状部材１５１の元の色（透明又は半透明）を含めて三色に限定されるものではなく、可撓性線状部材１５１の元の色と黄色又は赤色の何れか二色でも良く、レベル１〜レベル３をより細かくレベル分けするために、四色以上であっても良い。収納部材１５２を色分けする色の数が多いほど、入力レベルをより細かく判別することが出来る。更に、収納部材１５２を色分けする色は、上述した色に限定されるものではなく、他の色であっても良く、その内の一色を可撓性線状部材２１自体の色としても良い。
【０１８３】
また、入力判別機構１５０は、可撓性線状部材１５１が支承装置１０に一個取り付けられることに限定されるものではなく、複数個取り付けられるようにしても良い。
【０１８４】
［１２．入力判別機構の参考例３の変形例］
次に、図２３乃至図２５に示した入力判別機構１５０を、支承装置１０に直接的に取り付けるのではなく、支承装置１０の近傍の上部構造物４と下部構造物２との間に取り付ける例を、図２６を参照して説明する。
【０１８５】
具体的に、図２６に示すように、入力判別機構１５０は、可撓性線状部材１５１の一端部１５１ａを結束した第一係止部材１５３が、第一固定部１５３ａに第一固定ネジ１５３ｂが挿通されて、上部構造物４に取り付けるための第一取付具１６０の第一ネジ孔１６０ａに螺合される。第一取付具１６０は、全体が略Ｌ字状をなし、一片に第一ネジ孔１６０ａが形成されており、他片に第一挿通孔１６０ｂが形成されている。また、入力判別機構１５０は、収納部材５２の他端部１５２ｂを結束した第二係止部材１５６が、第二固定部１５６ａに第二固定ネジ１５６ｂが挿通されて、下部構造物２に取り付けるための第二取付具１７０の第二ネジ孔１７０ａに螺合される。第二取付具１７０は、全体が略Ｌ字状をなし、一片に第二ネジ孔１７０ａが形成されており、他片に第二挿通孔１７０ｂが形成されている。
【０１８６】
第一取付具１６０は、ネジ等の第一固定部材１６１が第一挿通孔１６０ｂ、上部プレート１６に形成された第一貫通孔１６２の順に挿通され、上部構造物４に形成された第一ネジ孔１６３に螺合されて固定される。第二取付具１７０は、ネジ等の第二固定部材１７１が第二挿通孔１７０ｂ、下部プレート１７に形成された第二貫通孔１７２の順に挿通され、上部構造物４に形成された第一ネジ孔１７３に螺合されて固定される。
【０１８７】
以上のような入力判別機構１５０によれば、支承装置１０の近傍に、上部構造物４と下部構造物２との間に後付けで取り付けることが出来、例えば、既設の支承装置１０の近傍にも容易に取り付けることが出来る。また、可撓性線状部材１５１の変位指示部１５４の位置の変化量及び／又は可撓性線状部材１５１の引出量の変化を確認することで、直接的には、上部構造物４と下部構造物２との相対的な変位量を判別し、間接的に、支承装置１０の上沓１１と下沓１２との相対的な変位量を判別することが出来る。従って、入力判別機構１５０によれば、支承装置１０にどの程度の入力があったのかを、事後的に確認することが出来る。
【０１８８】
［１３．その他の変形例］
なお、支承装置１０は、ゴム支承の他に、鋼製支承であっても良い。例えば、支承装置１０は、固定支承装置として用いられるピン支承装置やピボット支承装置であっても良く、可動支承装置として用いられるローラー支承装置であっても良い。この場合、入力判別機構２０，３０，４０、１００，１２０，１５０は、図１６、図１９、図２２、図２６に示すように、これらの支承装置１０の近傍であって、上沓１１が固定される上部構造物４と下沓１２が固定される下部構造物２との間に配設されるようにすることで、間接的に、支承装置１０にどの程度の入力があったかを、事後的に確認することが出来る。
【０１８９】
また、図２７に示すように、入力判別機構２０，３０，４０，１００，１２０，１５０は、ビル建物６０（上部構造物）と建物基礎６１（下部構造物）との間の空間部の上述した支承装置１０と略同様の免震装置６２の近傍に設けることが出来る。更に、入力判別機構２０，３０，４０，１００，１２０，１５０は、ビル建物６０の側壁と建物基礎６１の表面との間に設けるようにしても良い。この場合、入力判別機構２０，３０，４０，１００，１２０，１５０は、地表に露出しているので、確認作業を容易に行うことが出来る。
【０１９０】
また、以上の説明で用いた支承装置１０は、上下反転し、下沓を上沓として、上沓を下沓として用いるようにしても良い。また、支承方向を水平方向としたり、鉛直方向からずれた方向に設定することも可能であり、入力判別機構２０，３０，４０，１００，１２０，１５０の取付状態も、支承装置１０の向きに応じて適宜変更される。更に、入力判別機構２０，３０，４０，１００，１２０，１５０を設ける位置は、支承装置の近傍に限定されるものではなく、離れた位置であっても良い。例えば、入力判別機構２０，３０，４０，１００，１２０，１５０は、図１の下部構造物２としての橋台と上部構造物４としての橋桁の端部に設けられる桁遊間２ａや桁遊間２ａに配設される間詰め材やダンパー２ｂの近傍に設けるようにしても良い。また、入力判別機構２０，３０，４０，１００，１２０，１５０は、上部構造物４と下部構造物２に後付けされる場合だけでなく、上部構造物４と下部構造物２に一体的に固設されていても良い。
【符号の説明】
【０１９１】
１  橋梁、２  下部構造物、２ａ  桁遊間、２ｂ  ダンパー、３ａ  固定支承装置、３ｂ  可動支承装置、４  上部構造物、５  水平力分散支承装置、１０  支承装置、１１  上沓、１２  下沓、１３  支承体、１３ａ  弾性層、１３ｂ  補強板、１４  摺滑部材、１５  摺滑部材、１６  上部プレート、１７  下部プレート、２０  入力判別機構、２１  可撓性線状部材、２１ａ  一端部、２１ｂ  他端部、２１ｃ  中途部、２２  撓み部、２３  結び目、２４  第一係止部材、２４ａ  第一固定部、２４ｂ  第一固定ネジ、２４ｃ  第一ネジ孔、２５  第二係止部材、２５ａ  第二固定部、２５ｂ  第二固定ネジ、２５ｃ  第二ネジ孔、３０  入力判別機構、３１  結束部材、３１ａ  挿通孔、４０  入力判別機構、４１  収納部材、４２  挿通孔、５０  第一取付具、５０ａ  第一ネジ孔、５０ｂ  第一挿通孔、５１  第二取付具、５１ａ  第二ネジ孔、５１ｂ  第二挿通孔、５２  第一固定部材、５３  第一貫通孔、５４  第一ネジ孔、５５  第二固定部材、５６  第二貫通孔、５７  第一ネジ孔、６０  ビル建物、６１  建物基礎、６２  免震装置、１００  入力判別機構、１０１  可撓性線状部材、１０１ａ  一端部、１０１ｂ  他端部、１０１ｃ  中途部、１０２  収納部材、１０２ａ  側面、１０２ｂ  上面、１０３  第一係止部材、１０３ａ  第一固定部、１０３ｂ  第一固定ネジ、１０３ｃ  第一ネジ孔、１０４  取付部、１０４ａ  貫通孔、１０５  挿通孔、１１０  第一取付具、１１０ａ  第一ネジ孔、１１０ｂ  第一挿通孔、１１１  第一固定部材、１１２  第一貫通孔、１１３  第一ネジ孔、１２０  入力判別機構、１２１  可撓性線状部材、１２１ａ  一端部、１２１ｂ  他端部、１２１ｃ  中途部、１２２  保持部材、１２３  第一係止部材、１２３ａ  第一固定部、１２３ｂ  第一固定ネジ、１２３ｃ  第一ネジ孔、１２４  第一分割体、１２４ａ  当接面、１２４ｂ  側面、１２５  第二分割体、１２５ａ  当接面、１２５ｂ  側面、１２６  係合部、１２６ａ  係合凸部、１２６ｂ  係合凹部、１２７  取付部、１２７ａ  貫通孔、１２８  取付具、１２９  挿通孔、１２９ａ  貫通孔、１３０  第一取付具、１３０ａ  第一ネジ孔、１３０ｂ  第一挿通孔、１３１  第一固定部材、１３２  第一貫通孔、１３３  第一ネジ孔、１４０  取付具、１４０ａ  側面部、１４０ｂ  上面部、１４１  固定ネジ、１５０  入力判別機構、１５１  可撓性線状部材、１５１ａ  一端部、１５１ｂ  他端部、１５１ｃ  中途部、１５２  収納部材、１５２ａ  一端部、１５２ｂ  他端部、１５２ｃ  排出孔、１５３  第一係止部材、１５３ａ  第一固定部、１５３ｂ  第一固定ネジ、１５３ｃ  第一ネジ孔、１５４  膨出部、１５５  目盛部、１５６  第二係止部材、１５６ａ  第二固定部、１５６ｂ  第二固定ネジ、１５６ｃ  第二ネジ孔、１５７  凹凸部、１６０  第一取付具、１６０ａ  第一ネジ孔、１６０ｂ  第一挿通孔、１６１  第一固定部材、１６２  第一貫通孔、１６３  第一ネジ孔、１７０  第二取付具、１７０ａ  第二ネジ孔、１７０ｂ  第二挿通孔、１７１  第二固定部材、１７２  第二貫通孔、１７３  第一ネジ孔
【図１】
0005391258.tif 000002
【図２】
0005391258.tif 000003
【図３】
0005391258.tif 000004
【図４】
0005391258.tif 000005
【図５】
0005391258.tif 000006
【図６】
0005391258.tif 000007
【図７】
0005391258.tif 000008
【図８】
0005391258.tif 000009
【図９】
0005391258.tif 000010
【図１０】
0005391258.tif 000011
【図１１】
0005391258.tif 000012
【図１２】
0005391258.tif 000013
【図１３】
0005391258.tif 000014
【図１４】
0005391258.tif 000015
【図１５】
0005391258.tif 000016
【図１６】
0005391258.tif 000017
【図１７】
0005391258.tif 000018
【図１８】
0005391258.tif 000019
【図１９】
0005391258.tif 000020
【図２０】
0005391258.tif 000021
【図２１】
0005391258.tif 000022
【図２２】
0005391258.tif 000023
【図２３】
0005391258.tif 000024
【図２４】
0005391258.tif 000025
【図２５】
0005391258.tif 000026
【図２６】
0005391258.tif 000027
【図２７】
0005391258.tif 000028